(57)【特許請求の範囲】
【請求項１】
データと、他のデータを送信するための要求とを受信することと、
前記受信されたデータに関連する肯定応答情報と、前記受信された前記他のデータを送信するための要求に関連するスケジューリング情報とを備える媒体アクセス制御（ＭＡＣ）フレームを生成することと、ここにおいて、前記肯定応答情報は、前記肯定応答情報が生成される複数の装置の量の表示を備える、
前記フレームを送信することと、
を備える、ワイヤレス通信の方法。
【請求項２】
前記肯定応答情報は、前記複数の装置の各々について、前記装置からデータが正常に受信されたかどうかを示す、請求項１に記載の方法。
【請求項３】
前記スケジューリング情報が、パイロット送信のために使用されるべき順序、データ送信のために使用されるべき順序、および／または、後続の送信するための要求の送信のための開始時間および持続時間を示す、請求項１に記載の方法。
【請求項４】
前記スケジューリング情報が、少なくとも１つのスケジュールされたデータ送信のための開始時間と持続時間とを示す、請求項１に記載の方法。
【請求項５】
前記スケジューリング情報が、データを送信するためにスケジュールされた複数の装置を識別し、
前記スケジューリング情報が、前記識別された複数の装置の各々について、前記識別された装置のための前記スケジュールされたデータ送信のための開始時間と持続時間とを示す、請求項１に記載の方法。
【請求項６】
前記スケジューリング情報が、データを送信するためにスケジュールされた複数の装置を識別し、
前記スケジューリング情報が、前記識別された複数の装置の各々について、前記識別された装置のためのスケジュールされたデータ送信のための割り振られた時間周波数リソースを示す、請求項１に記載の方法。
【請求項７】
前記スケジューリング情報が、データを送信するためにスケジュールされた複数の装置を識別し、
前記スケジューリング情報が、前記識別された複数の装置の各々について、前記識別された装置のためのスケジュールされたデータ送信に関する送信レートを示す、請求項１に記載の方法。
【請求項８】
前記スケジューリング情報が、データを送信するためにスケジュールされた複数の装置を識別し、
前記スケジューリング情報が、前記識別された複数の装置の各々について、前記識別された装置のためのスケジュールされたデータ送信のための変調およびコーディング方式を示す、請求項１に記載の方法。
【請求項９】
前記複数の装置とのマルチユーザ多入力多出力（ＭＵ−ＭＩＭＯ）通信を確立することと、
前記確立されたＭＵ−ＭＩＭＯ通信に従ってデータ送信をスケジュールすることと、
をさらに備える、請求項１に記載の方法。
【請求項１０】
前記複数の装置との直交周波数分割多元接続（ＯＦＤＭＡ）通信を確立することと、
前記確立されたＯＦＤＭＡ通信に従ってデータ送信をスケジュールすることと、
をさらに備える、請求項１に記載の方法。
【請求項１１】
前記複数の装置との時間領域スケジュールド送信（ＴＤＳＴ）通信を確立することと、
前記確立されたＴＤＳＴ通信に従ってデータ送信をスケジュールすることと、
をさらに備える、請求項１に記載の方法。
【請求項１２】
前記複数の装置との時間周波数スケジュールド送信（ＴＦＳＴ）通信を確立することと、
前記確立されたＴＦＳＴ通信に従ってデータ送信をスケジュールすることと、
をさらに備える、請求項１に記載の方法。
【請求項１３】
データと、他のデータを送信するための要求とを受信するための手段と、
前記受信されたデータに関連する肯定応答情報と、前記受信された前記他のデータを送信するための要求に関連するスケジューリング情報とを備える媒体アクセス制御（ＭＡＣ）フレームを生成するための手段と、ここにおいて、前記肯定応答情報は、前記肯定応答情報が生成される複数の装置の量の表示を備える、
前記フレームを送信するための手段と、
を備える、ワイヤレス通信のための装置。
【請求項１４】
アンテナと、
請求項１３に記載の装置と、
を備える、アクセスポイント。
【請求項１５】
請求項１乃至１２のいずれか一項に記載の方法を行うように実行可能なコードを備える、コンピュータ可読記憶媒体。
【発明の詳細な説明】
【技術分野】
【０００１】
優先権の主張
[0001]  本出願は、各々の開示が参照により本明細書に組み込まれる、本願の譲受人が所有する、２０１３年４月１９日に出願された、代理人整理番号第１３１３２５Ｐ１号を割り当てられた米国仮特許出願第６１／８１３，７７５号、および２０１３年５月８日に出願された、代理人整理番号第１３１３２５Ｐ２号を割り当てられた米国仮特許出願第６１／８２１，１７８号、および２０１４年４月１７日に出願された、代理人整理番号第１３１３２５号を割り当てられた米国非仮特許出願第１４／２５５，９４６号の利益、ならびにそれらの優先権を主張する。
【０００２】
[0002]  本出願は、一般に、ワイヤレス通信に関し、より詳細には、限定はしないが、グループスケジューリングおよび肯定応答に関する。
【背景技術】
【０００３】
[0003]  通信ネットワークは、ユーザがいくつかの対話している空間的に分離されたデバイスの間でメッセージを交換するのを可能にする。通信ネットワークは、たとえば、広域、メトロポリタンエリア、ローカルエリア、またはパーソナルエリアであり得る地理的な範囲に従って分類され得る。そのようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定され得る。通信ネットワークはまた、様々なネットワーク装置およびデバイスを相互接続するために用いられる交換技法ならびに／または経路指定技法により異なる。たとえば、通信ネットワークは、回路交換、パケット交換、またはそれらの２つの何らかの組合せを使用することができる。通信ネットワークは、送信のために用いられ得る物理媒体のタイプによって異なり得る。たとえば、通信ネットワークは、ワイヤード通信、ワイヤレス通信、または両方のタイプの通信をサポートし得る。通信ネットワークは、通信プロトコルの異なるセットを使用することも可能である。そのような通信プロトコルの例としては、インターネットプロトコル（ＩＰ）スイート、同期光ネットワーク（ＳＯＮＥＴ）プロトコル、およびイーサネット（登録商標）プロトコルがある。
【０００４】
[0004]  一般に、ワイヤレスネットワークは、無線、マイクロ波、赤外線、光、または他の周波数帯域内の電磁波を使用する非誘導伝搬モードでは、無形の物理媒体を用いる。したがって、ワイヤレスネットワークは、固定ワイヤードネットワークと比較して、ユーザモビリティと迅速なフィールド展開とを容易にするためにより良好に適合され得る。たとえば、ワイヤレスネットワークは、モバイルであり、動的接続性ニーズを有するネットワーク要素を容易にサポートする。ワイヤレスネットワークの使用はまた、固定トポロジーではなく、アドホックトポロジーを有するネットワークアーキテクチャを提供することが望ましいシナリオに関して好ましい場合がある。
【０００５】
[0005]  ワイヤレスネットワークは、ある定義された地理的エリア内のユーザに様々なタイプのサービス（たとえば、音声、データ、マルチメディアサービスなど）を提供するために、その地理的エリア全体に展開され得る。典型的な実装形態では、ワイヤレスネットワークによってサービスされる地理的エリア内で動作しているアクセス端末（たとえば、局（ＳＴＡ））にワイヤレス接続性を与えるために、１つまたは複数のアクセスポイント（ＡＰ）が展開される。
【０００６】
[0006]  いくつかのワイヤレスネットワークは、多入力多出力（ＭＩＭＯ）技術またはマルチユーザＭＩＭＯ（ＭＵ−ＭＩＭＯ）技術を実装する。ＭＩＭＯシステムは、データ送信用の複数（ＮT）個の送信アンテナと複数（ＮR）個の受信アンテナとを用いる。ＮT個の送信アンテナおよびＮR個の受信アンテナによって形成されるＭＩＭＯチャネルは、空間チャネルまたは空間ストリームとも呼ばれる、ＮS個の独立チャネルに分解され得、この場合、ＮS≦ｍｉｎ｛ＮT，ＮR｝である。ＮS個の独立チャネルの各々は１つの次元に対応する。複数の送信アンテナおよび受信アンテナによって作成された追加の次元数が利用された場合、ＭＩＭＯシステムは改善された性能（たとえば、より高いスループットおよび／またはより大きい信頼性）を与えることができる。
【０００７】
[0007]  実際には、オーバーヘッドがアップリンク（ＵＬ）ＭＵ−ＭＩＭＯ送信について比較的高くなり得る。たとえば、いくつかのＭＵ−ＭＩＭＯシステムでは、各ＵＬ  ＭＵ−ＭＩＭＯ送信について、ＡＰは、２つの特殊な送信可（ＣＴＳ：clear-to-send）メッセージを送る必要がある。第１のＣＴＳメッセージは、ＭＵ−ＭＩＭＯ送信についての要求を送るためにバッファデータでＳＴＡをトリガする。第２のＣＴＳメッセージは、受信された要求に基づいてＭＵ−ＭＩＭＯ送信のための選択されたアクセス端末を示す。
【０００８】
[0008]  図１は、ＵＬ  ＭＵ−ＭＩＭＯ送信１００についてのこの比較的大きいオーバーヘッドの一例を示す。第１のラウンドチャネル競合中に、開始ＳＴＡは、それが送るべきＵＬデータを有することを示すために送信要求（ＲＴＳ：request-to-send）を送る。ＡＰは、次いで、ＭＵ−ＭＩＭＯ送信についての要求を送るためにバッファデータで他のＳＴＡをトリガするために、ＭＵ−ＣＴＳを送る。第２のラウンドチャネル競合中に、他のＳＴＡはＲＴＳを送る。ＡＰは、次いで、受信された要求に基づいてＭＵ−ＭＩＭＯ送信のための選択されたＳＴＡを示すためにグローバルＣＴＳ（Ｇ−ＣＴＳ：global CTS）を送る。この例では、ＳＴＡ１〜ＳＴＡ３が送信するように選択される（たとえば、スケジュールされる）。最終的に、ＡＰは、ＳＴＡ１〜ＳＴＡ３からの送信の受信に肯定応答するためにグローバル肯定応答（Ｇ−ＡＣＫ：global acknowledgement）を送る。
【発明の概要】
【０００９】
[0009]  本開示のいくつかの例示的な態様の概要は以下の通りである。この概要は、そのような態様の基本的理解を与えるために、読者の便宜のために与えられるものであり、本開示の幅を完全に定義するとは限らない。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形態で提示することである。便宜上、本開示の単一の態様または複数の態様を指すために本明細書では、いくつかの態様という用語が使用され得る。
【００１０】
[0010]  本開示は、いくつかの態様では、マルチユーザ送信のためのオーバーヘッド低減に関する。マルチユーザ送信の例は、限定はしないが、ＵＬ  ＭＵ−ＭＩＭＯ送信、ＵＬ直交周波数分割多元接続（ＯＦＤＭＡ）送信、およびＵＬ時間領域スケジュールド送信（ＴＤＳＴ：time-domain-scheduled-transmission）通信（たとえば、８０２．１１省電力マルチポール（ＰＳＭＰ：power-save-multi-poll））を含む。
【００１１】
[0011]  いくつかの態様では、ＵＬ  ＭＵ−ＭＩＭＯ送信、ＵＬ  ＯＦＤＭＡ送信、ＵＬ  ＴＤＳＴ送信、ＵＬスケジュールド時間周波数送信、または他のタイプのマルチユーザ送信において使用される制御フレームの数を低減するために新規の肯定応答（ＡＣＫ）フレームが用いられる。
【００１２】
[0012]  たとえば、ＡＰは、ＡＣＫフレーム中にスケジューリング機能を組み合わせ得る。これらのスケジューリング機能は、たとえば、送信（たとえば、ＭＵ−ＭＩＭＯ送信）についての要求を送るためにバッファデータでＳＴＡをトリガすること、および／または受信された要求に基づいて送信（たとえば、ＭＵ−ＭＩＭＯ送信）のための選択されたＳＴＡを示すことを含み得る。
【００１３】
[0013]  一例では、フレームは、グループＡＣＫ部分およびスケジューリング情報部分という、２つの部分を有する。グループＡＣＫ部分中には、ＳＴＡごとの前のＵＬ送信についてのＡＣＫ／ＮＡＣＫインジケータが含まれる。スケジューリング情報部分では、選択されたＳＴＡごとの後続のＵＬ送信について含まれる情報は、たとえば、選択されたＳＴＡの数、各選択されたＳＴＡのＭＡＣアドレス、選択されたＳＴＡごとのデータ送信持続時間、選択されたＳＴＡごとの送信レート（たとえば、変調およびコーディング方式（ＭＣＳ：modulation and coding scheme））、（たとえば、ＵＬ  ＭＵ−ＭＩＭＯ用の）要求送信持続時間、（たとえば、ＵＬ  ＭＵ−ＭＩＭＯ用の）パイロット送信順序、または（たとえば、ＵＬスケジュールド送信用の）ＳＴＡ送信順序のうちの１つまたは複数を備え得る。
【００１４】
[0014]  本開示の様々な態様は、通信用に構成された装置を提供する。本装置は、データと、送信するための要求とを受信するように構成された受信機と、受信されたデータに関連する肯定応答情報と、受信された送信するための要求に関連するスケジューリング情報とを備える媒体アクセス制御（ＭＡＣ）フレームを生成するように構成された処理システムと、ここにおいて、肯定応答情報は、肯定応答情報が生成される装置の量の表示を備える、フレームを送信するように構成された送信機とを備える。
【００１５】
[0015]  本開示の他の態様は、通信の方法を提供する。本方法は、データと、送信するための要求とを受信することと、受信されたデータに関連する肯定応答情報と、受信された送信するための要求に関連するスケジューリング情報とを備える媒体アクセス制御（ＭＡＣ）フレームを生成することと、ここにおいて、肯定応答情報は、肯定応答情報が生成される装置の量の表示を備える、フレームを送信することとを備える。
【００１６】
[0016]  本開示の他の態様は、通信用に構成された別の装置を提供する。この他の装置は、データと、送信するための要求とを受信するための手段と、受信されたデータに関連する肯定応答情報と、受信された送信するための要求に関連するスケジューリング情報とを備える媒体アクセス制御（ＭＡＣ）フレームを生成するための手段と、ここにおいて、肯定応答情報は、肯定応答情報が生成される装置の量の表示を備える、フレームを送信するための手段とを備える。
【００１７】
[0017]  本開示の他の態様は、コンピュータ可読媒体を備えるコンピュータプログラム製品を提供する。コンピュータ可読媒体は、データと、送信するための要求とを受信することと、受信されたデータに関連する肯定応答情報と、受信された送信するための要求に関連するスケジューリング情報とを備える媒体アクセス制御（ＭＡＣ）フレームを生成することと、ここにおいて、肯定応答情報は、肯定応答情報が生成される装置の量の表示を備える、フレームを送信することとを行うように実行可能なコードを備える。
【００１８】
[0018]  本開示の他の態様は、アクセスポイントを提供する。このアクセスポイントは、アンテナと、データと、送信するための要求とを受信するように構成された受信機と、受信されたデータに関連する肯定応答情報と、受信された送信するための要求に関連するスケジューリング情報とを備える媒体アクセス制御（ＭＡＣ）フレームを生成するように構成された処理システムと、ここにおいて、肯定応答情報は、肯定応答情報が生成される装置の量の表示を備える、アンテナを介してフレームを送信するように構成された送信機とを備える。
【００１９】
[0019]  本開示のこれらおよび他の例示的な態様について、以下の詳細な説明および特許請求の範囲、ならびに添付の図面において説明する。
【図面の簡単な説明】
【００２０】
【図１】[0020]  従来のＵＬ  ＭＵ−ＭＩＭＯ送信の一例を示す図。
【図２】[0021]  本開示のいくつかの態様による、グループ肯定応答を用いるワイヤレス通信ネットワークの一例を示す機能ブロック図。
【図３】[0022]  本開示のいくつかの態様による、複数のサイクルを備えるＵＬ  ＭＵ−ＭＩＭＯセッションの一例を示す図。
【図４】[0023]  本開示のいくつかの態様による、フレーム構造の一例を示す図。
【図５】[0024]  本開示のいくつかの態様による、ＵＬ  ＭＵ−ＭＩＭＯセッションの開始段階の一例を示す図。
【図６】[0025]  本開示のいくつかの態様による、ＵＬ  ＭＵ−ＭＩＭＯセッションの経験段階の一例を示す図。
【図７】[0026]  本開示のいくつかの態様による、ＵＬ  ＭＵ−ＭＩＭＯセッションの別の経験段階の一例を示す図。
【図８】[0027]  本開示のいくつかの態様による、ＵＬ  ＭＵ−ＭＩＭＯセッションの別の経験段階の一例を示す図。
【図９】[0028]  本開示のいくつかの態様による、ＵＬ  ＭＵ−ＭＩＭＯセッションの終了段階の一例を示す図。
【図１０】[0029]  従来のスケジュールド送信の一例を示す図。
【図１１】[0030]  本開示のいくつかの態様による、ＵＬスケジュールド送信の一例を示す図。
【図１２】[0031]  本開示のいくつかの態様による、フレーム構造の一例を示す図。
【図１３】[0032]  本開示のいくつかの態様による、フレームを生成し送信する一例に関する動作のいくつかの例示的な態様を示すフローチャート。
【図１４】[0033]  本開示のいくつかの態様による、フレームを生成し送信する一例に関する動作のいくつかの追加の態様を示すフローチャート。
【図１５】[0034]  本開示のいくつかの態様による、フレームを受信しこのフレームの受信に基づいてアクションを取る一例に関する動作のいくつかの例示的な態様を示すフローチャート。
【図１６】[0035]  本開示の１つまたは複数の態様が適用例を見つけ得るネットワーク環境の一例を示す図。
【図１７】[0036]  本開示のいくつかの態様による、ワイヤレス通信システム内で用いられ得る装置の一例を示す機能ブロック図。
【図１８】[0037]  ワイヤレス通信を送信するために、図１７の装置において利用され得る例示的な構成要素を示す機能ブロック図。
【図１９】[0038]  ワイヤレス通信を受信するために、図１７の装置において利用され得る例示的な構成要素を示す機能ブロック図。
【図２０】[0039]  本開示のいくつかの態様による、通信ノード内で用いられ得る構成要素のいくつかの例示的な態様を示す機能ブロック図。
【図２１】[0040]  本開示のいくつかの態様による、肯定応答情報とスケジューリング情報とを備えるフレームの使用に関する機能で構成された装置のいくつかの例示的な態様を示す機能ブロック図。
【図２２】本開示のいくつかの態様による、肯定応答情報とスケジューリング情報とを備えるフレームの使用に関する機能で構成された装置のいくつかの例示的な態様を示す機能ブロック図。
【図２３】本開示のいくつかの態様による、肯定応答情報とスケジューリング情報とを備えるフレームの使用に関する機能で構成された装置のいくつかの例示的な態様を示す機能ブロック図。
【発明を実施するための形態】
【００２１】
[0041]  慣例により、図面に示す特徴は、明快のために簡略化され、概して、一定の縮尺で描かれていない。すなわち、これらの特徴の寸法および間隔は、たいていの場合、明快のために拡張または縮小される。さらに、説明のために、図面は、概して、一般に所与の装置（たとえば、デバイス）または方法において用いられる構成要素のすべてを示しているとは限らない。最後に、本明細書および図の全体にわたって、同様の特徴を示すために同様の参照番号が使用され得る。
【００２２】
[0042]  本開示の様々な態様が以下で説明される。本明細書の教示は多種多様な形態で具現化されることが可能であり、本明細書で開示されている任意の特定の構造、機能、またはその両方は代表的なものにすぎないことは明らかであろう。本明細書の教示に基づいて、本明細書で開示される態様は任意の他の態様とは独立に実装され得ること、およびこれらの態様のうちの２つ以上を様々な方法で組み合わせることができることを、当業者は諒解されよう。たとえば、本明細書に記載の態様をいくつ使用しても、装置を実装し、または方法を実践することができる。さらに、本明細書に記載の態様のうちの１つまたは複数に加えて、または、それら以外の、他の構造、機能、または構造および機能を使用して、そのような装置を実装し、またはそのような方法を実践することができる。さらに、本明細書で開示するどの態様も請求項の１つまたは複数の要素によって具現化され得る。上記の一例として、いくつかの態様では、ワイヤレス通信の方法は、データと、送信するための要求とを受信することと、受信されたデータに関連する肯定応答情報と、受信された送信するための要求に関連するスケジューリング情報とを備える媒体アクセス制御（ＭＡＣ）フレームを生成することと、ここにおいて、肯定応答情報は、肯定応答情報が生成される装置の量の表示を備える、フレームを送信することとを備え得る。さらに、いくつかの態様では、肯定応答情報は、装置の各々について、装置からデータが正常に受信されたかどうかを示す。
【００２３】
[0043]  図２は、アクセスポイント２０２と複数の局２０４、２０６、および２０８とを含むワイヤレス通信ネットワーク２００の一例を示す。アクセスポイント２０２と局２０４、２０６、および２０８とはマルチユーザ通信をサポートし、それにより、アクセスポイント２０２は、アクセスポイント２０２がそれぞれ局２０４、２０６、および２０８から受信するそれぞれのデータ送信２１２、２１４、および２１６に応答して、局２０４、２０６、および２０８にグループ肯定応答（ＡＣＫ）２１０を送る。
【００２４】
[0044]  図２に示すように、局２０４、２０６、および２０８は、それらが送るべきデータを有するときはいつでも、それぞれの送信するための要求２１８、２２０、および２２２をアクセスポイント２０２に送る。送信するための要求２１８、２２０、および２２２に応答して、アクセスポイント２０２は、局２０４、２０６、および２０８のいずれが送信することを可能にされるのかおよび／またはどのように送信することを可能にされるのかを指定するためにスケジューリング情報をグループＡＣＫ２１０中に含める。
【００２５】
[0045]  図３〜図１２を参照すると、例示的な肯定応答支援ＵＬ通信方式の様々な態様について説明されている。例示のために、これらの技法については、ＵＬ  ＭＵ−ＭＩＭＯを用いるＩＥＥＥ８０２．１１ベースのシステムのコンテキストにおいて説明することがある。しかしながら、本明細書の教示は、他のタイプの構成要素を使用しておよび／または他のタイプの通信技術を使用して実装され得ることを諒解されたい。
【００２６】
[0046]  図３の例では、ＵＬ  ＭＵ−ＭＩＭＯセッション３００は複数のサイクルを有し、サイクルごとに１つのＭＵ−ＭＩＭＯ送信をもつ。各サイクルは、（たとえば、図３のデータブロック用の）ＭＵ−ＭＩＭＯ送信期間または間隔と、ＡＣＫフレームと、（たとえば、図３の要求ブロックＲ１、Ｒ２などのための）要求送信期間または間隔とからなる。ＭＵ−ＭＩＭＯ送信期間において、ＡＰは、同時にデータを送るためのＳＴＡを選択する。ＡＰは、次いで、ＳＴＡごとの合格／不合格結果を示すためにグループ肯定応答（ＡＣＫ）を送る。後続の要求送信期間において、バッファデータをもつＳＴＡは、次のＭＵ−ＭＩＭＯ送信についての要求を送る。上記の３つのセクションは固定持続時間（たとえば、ショートフレーム間スペース（ＳＩＦＳ：short interframe space））によって分離され得る。
【００２７】
[0047]  ＡＣＫは、将来のＭＵ−ＭＩＭＯ送信についてのスケジューリング情報を含み得る。たとえば、図示のように、ＡＣＫ３０６は、サイクルｎ中に受信された要求に基づいてサイクルｎ＋２中にＭＵ−ＭＩＭＯ送信のための選択されたＳＴＡを示し得る（図３中の破線楕円を参照）。ＡＣＫはまた、後続の要求送信間隔３０２とＭＵ−ＭＩＭＯ送信間隔３０４との開始時間および／または持続時間を示し得る。最後に、ＡＣＫは、後続のＭＵ−ＭＩＭＯ送信の終了までの時間を予約するためにそれのネットワーク割振りベクトル（ＮＡＶ）を設定し得る。
【００２８】
[0048]  図４は、本明細書の教示に従って使用され得る８０２．１１ＡＣＫ支援ＭＵ−ＭＩＭＯ用のＡＣＫフレーム構造４００の一例を示す。フレーム構造は、プリアンブルと、物理レイヤコンバージェンスプロトコルヘッダと、後続のＭＡＣプロトコルデータユニットとを含む、８０２．１１フレーム構造に基づく。簡潔のために、図４にはＭＡＣプロトコルデータユニット部分のみが示されている。
【００２９】
[0049]  フレームの第１の部分は、ＭＡＣヘッダ中のキーフィールドとして指定される。キーフィールドは、フレーム制御と、持続時間と、ブロードキャストアドレス（図示せず）とを含み得る。
【００３０】
[0050]  フレーム制御（ＦＣ）は、０１に設定された制御フィールドを有し、００００〜０１１０中の任意の数としてサブタイプフィールドを有する（使用されず）。ＦＣは、これがＭＵ−ＭＩＭＯ用のスケジューリング情報をもつ特殊なＡＣＫであることを示すために使用される。
【００３１】
[0051]  持続時間（ＮＡＶ）は、ＡＣＫフレーム持続時間と、後続の要求送信持続時間と、後続のＭＵ−ＭＩＭＯ送信持続時間と、中間のギャップとからなる。
【００３２】
[0052]  （図４に示されていない）ブロードキャストアドレスは、フレーム本体が、このブロードキャストアドレスによってアドレス指定されるサービスされるＭＵ−ＭＩＭＯ対応ＳＴＡによって読み取られる必要のみがあることを示すために使用される。
【００３３】
[0053]  図４のフレームの第２の部分は、フレーム本体中のＡＣＫ／ＮＡＣＫフィールドとして指定される。これらのフィールドは、グループＡＣＫ／ＮＡＣＫがダイレクトされるＳＴＡの数を示す。これらのフィールドはまた、最後のＭＵ−ＭＩＭＯ送信におけるＳＴＡごとのアドレスおよびＡＣＫ／ＮＡＣＫビットを示すために使用される。
【００３４】
[0054]  図４のフレームの第３の部分は、フレーム本体中のスケジューリング情報フィールドとして指定される。これらのフィールドは、次のＭＵ−ＭＩＭＯ送信中に送信するようにスケジュールされるＳＴＡの数を示す。
【００３５】
[0055]  スケジューリング情報フィールドは、選択されたＳＴＡアドレスを示すために使用され得る。選択されたＳＴＡはまた、示されたアドレス順序に従って次のＭＵ−ＭＩＭＯ送信期間の最初にパイロットを送信し得る。
【００３６】
[0056]  スケジューリング情報フィールドはまた、後続の要求送信持続時間とＭＵ−ＭＩＭＯ送信持続時間とを示すために使用され得る。ＡＰは、両方の持続時間を０として設定することによってＵＬ  ＭＵ−ＭＩＭＯセッションの終了を示すことができる。セッションが終了した場合、ＳＴＡとＡＰは、キャリア検知多重アクセス（ＣＳＭＡ：carrier sense multiple access）に基づいてチャネルについて競合し得る。さらに、スケジューリング情報フィールドは、場合によっては、（図４に示されていない）後続の要求送信開始時間および／またはＭＵ−ＭＩＭＯ送信開始時間を指定するために使用され得る。
【００３７】
[0057]  スケジューリング情報フィールドはまた、場合によっては、（図４に示されていない）ＳＴＡごとの変調およびコーディング方式（ＭＣＳ）を指定するために使用され得る。ＭＣＳは、たとえば、（図４に示されていない）受信された要求の受信信号強度表示（ＲＳＳＩ：received signal strength indication）、受信された要求の数、または前の復号結果のうちの１つまたは複数に基づき得る。ＡＰがＭＣＳを指定しない場合、ＳＴＡは、たとえば、ＡＰのビーコンＲＳＳＩならびに前の復号結果に基づいてそれのＭＣＳを選定することができる。
【００３８】
[0058]  スケジューリング情報フィールドはまた、場合によっては、（図４に示されていない）ＭＵ−ＭＩＭＯ送信間隔におけるＳＴＡパイロット送信順序を指定するために使用され得る。ＡＰがこの順序を指定しない場合、ＳＴＡは、たとえば、選択されたＳＴＡアドレス順序に基づいて順序を選定することができる。
【００３９】
[0059]  図５〜図９は、ＡＣＫ支援ＵＬ  ＭＩＭＯセッション用の手順の一例を示す。図５〜図９に示すように、セッションは、サイクル１における開始段階と、サイクル２〜４における経験段階と、サイクル５における終了段階とを有する。
【００４０】
[0060]  最初に図５のセッション５００を参照すると、サイクル１は開始段階である。ここで、ＡＰは、本明細書で説明するように（たとえば、スケジューリング情報を含む）追加の機能とともにＡＣＫを送ることによってＳＴＡ１のデータに肯定応答する。ＡＣＫは、図５に示す後続の要求送信間隔５０２とＭＵ−ＭＩＭＯ送信間隔５０４との持続時間を示し得る。送るべきデータをもつＳＴＡは、示された要求送信間隔中に要求を送り、ＡＣＫによって選択されたＳＴＡは、示されたＭＵ−ＭＩＭＯ送信間隔中に送信する。ＳＴＡ１が、サイクル１中で送られるそれのデータ中に「より多くのデータ」を示す場合、ＡＣＫは、ＳＴＡ１がサイクル２中の送信のために選択されたことを示し得る。他の場合、ＡＰは、スケジューリング情報を搬送するためにサイクル２中でＡＣＫの代わりに（図５に示されていない）特殊なＣＴＳを送り得る。ＡＣＫは、サイクル２における後続のＭＵ−ＭＩＭＯ送信の終了までの時間を予約するためにそれのＮＡＶを設定し得る。
【００４１】
[0061]  次に図６のセッション６００を参照すると、サイクル２は経験段階である。ここで、ＡＰは、本明細書で説明するように追加の機能とともにＡＣＫを送ることによってＳＴＡ１のデータに肯定応答する。ＡＣＫは、図６に示す後続の要求送信間隔６０２とＭＵ−ＭＩＭＯ送信間隔６０４との持続時間を示し得る。ＡＣＫは、（ＳＴＡ１とＳＴＡ２とがサイクル１中で要求を送ったので）ＳＴＡ１とＳＴＡ２とがサイクル３における送信のために選択されたことを示し得る。ＡＣＫは、サイクル３におけるＭＵ−ＭＩＭＯ送信の終了までの時間を予約するためにそれのＮＡＶを設定し得る。
【００４２】
[0062]  図７のセッション７００を参照すると、サイクル３は別の経験段階である。ここで、ＡＰは、本明細書で説明するように追加の機能とともにＡＣＫ（Ａ）を送ることによってＳＴＡ１のデータとＳＴＡ２のデータとに肯定応答する。ＡＣＫは、図７に示す後続の要求送信間隔７０２とＭＵ−ＭＩＭＯ送信間隔７０４との持続時間を示し得る。ＡＣＫは、（ＳＴＡ２とＳＴＡ３とがサイクル２中で要求を送ったので）ＳＴＡ２とＳＴＡ３とがサイクル４における送信のために選択されたことを示し得る。ＡＣＫは、サイクル４におけるＭＵ−ＭＩＭＯ送信の終了までの時間を予約するためにそれのＮＡＶを設定し得る。
【００４３】
[0063]  図８のセッション８００を参照すると、サイクル４も別の経験段階である。ここで、ＡＰは、本明細書で説明するように追加の機能とともにＡＣＫを送ることによってＳＴＡ２のデータとＳＴＡ３のデータとに肯定応答する。ＡＣＫは、図８に示す後続の要求送信間隔８０２とＭＵ−ＭＩＭＯ送信間隔８０４との持続時間を示し得る。ＡＣＫは、（ＳＴＡ１とＳＴＡ２とＳＴＡ３とがすべてサイクル３中で要求を送ったので）ＳＴＡ１とＳＴＡ２とＳＴＡ３とがサイクル５における送信のために選択されたことを示し得る。ＡＣＫは、サイクル５におけるＭＵ−ＭＩＭＯ送信の終了までの時間を予約するためにそれのＮＡＶを設定し得る。
【００４４】
[0064]  図９のセッション９００を参照すると、サイクル５は終了段階である。ここで、ＡＰは、本明細書で説明するように追加の機能とともにＡＣＫを送ることによってＳＴＡ１のデータとＳＴＡ２のデータとＳＴＡ３のデータとに肯定応答する。ＡＣＫは、（どのＳＴＡもサイクル４中で要求を送ることによってデータを有することを示していないので）後続の要求送信間隔とＭＵ−ＭＩＭＯ送信間隔とのゼロ持続時間を示し得る。ＡＰはまた、最大セッション持続時間に達した場合にＭＵ−ＭＩＭＯセッションを終了することができる。ＡＣＫは、どのＳＴＡも後続のＭＵ−ＭＩＭＯ送信のために選択されていないことを示し得る。ＡＣＫは、ＳＴＡとＡＰとがこのＡＣＫ後にＣＳＭＡにおいてチャネルについて競合し得るように、それ自体をカバーするためにのみＮＡＶを設定し得る。
【００４５】
[0065]  ＵＬ  ＭＵ−ＭＩＭＯについて考慮に入れられ得るいくつかの追加の考慮事項について以下で説明する。
【００４６】
[0066]  ＳＴＡは、要求送信間隔中に要求を送るために様々な方法を用い得る。たとえば、ＳＴＡは、要求送信間隔内のＣＳＭＡに基づいて要求を送るために競合し得る。別の例として、ＳＴＡは、（たとえば、ＯＦＤＭＡまたはＣＤＭＡを使用して）直交チャネル中で要求を送ることができる。
【００４７】
[0067]  ＡＰは、ＭＵ−ＭＩＭＯ送信のためのＳＴＡを選択するために様々な方法を用い得る。たとえば、ＡＰは、受信された要求のＲＳＳＩに基づいて最初のＭ個の最も強いＳＴＡを選択することができ、ただし、Ｍは、（選択されたＳＴＡごとに１つのストリームを仮定する）ストリームの数の最大値である。
【００４８】
[0068]  ＭＵ−ＭＩＭＯ間隔持続時間の決定は様々な方法で行われ得る。たとえば、持続時間は、ＳＴＡが最も低いレートで少なくとも１つのフレームを送ることができるように、最も低いレートにおける典型的なフレーム長（たとえば、１５００バイト）に対応するように選択され得る。
【００４９】
[0069]  ＳＴＡパイロット送信順序は様々な方法で指定され得る。たとえば、ＭＵ−ＭＩＭＯ送信間隔の最初に、選択されたＳＴＡは、ＡＣＫ中に示されるアドレス順序に従ってＴＤＭＡでパイロット信号を送信し得る。パイロットセッション後に、選択されたＳＴＡは、データフレームを並列に送り得る。
【００５０】
[0070]  次に図１０〜図１２を参照すると、上述のように、本開示はまた、いくつかの態様では、ＵＬ時間領域スケジュールド送信のためのオーバーヘッド低減に関する。上記と同様に、肯定応答フレームは、スケジュールド送信についてのスケジューリング情報を含み得る。
【００５１】
[0071]  従来の省電力マルチプルポール（ＰＳＭＰ）方式では、スケジュール情報とＡＣＫ情報は、たとえば、図１０のセッション１０００に示すように、異なるフレーム中で送られる。ＵＬ専用トラフィックの場合、後続のＵＬスケジュールド送信についてのスケジュールド情報は各ＰＳＭＰフレーム中で送られ、それに、ＳＴＡごとの前のＵＬデータ送信結果を示すためのＡＣＫフレームが後続する。
【００５２】
[0072]  図１１は、本明細書の教示による、ＡＣＫ支援ＵＬスケジュールド送信セッション１１００（たとえば、ＰＳＭＰ）の一例を示す。最初に、ＰＳＭＰフレームは、どのスケジュールされたＳＴＡが中間の競合ギャップなしにＵＬデータを連続的に送るかに基づいて、ＵＬ送信スケジュールを送る。ＡＣＫは、次いで、ＳＴＡごとの合格／不合格結果を提供し得る。
【００５３】
[0073]  ＡＣＫはまた、後続のスケジュールド送信（たとえば、サイクル２におけるデータ送信）についてのスケジューリング情報を提供し得る。たとえば、ＡＣＫは、次のスケジュールド送信サイクルにおけるスケジュールされたＳＴＡと、それらの送信順序と、ＳＴＡごとの送信開始時間と、送信持続時間とを示し得る。スケジュールされたＳＴＡは、最後のサイクル中で「より多くのデータ」を示すＳＴＡであり得る。ＵＬスケジュールド送信サイクルは、どのＳＴＡも「より多くのデータ」を示さない場合、または最大セッション持続時間に達した場合に終了し得る。
【００５４】
[0074]  図１２は、本明細書の教示に従って使用され得るＡＣＫ支援ＵＬ時間領域スケジュールド送信、ＵＬ  ＴＤＳＴ（たとえば、ＰＳＭＰ）用のＡＣＫフレーム構造１２００の一例を示す。フレーム構造は、プリアンブルと、物理レイヤコンバージェンスプロトコルヘッダと、後続のＭＡＣプロトコルデータユニットとを含む、８０２．１１フレーム構造に基づく。簡潔のために、図１２にはＭＡＣプロトコルデータユニット部分のみが示されている。
【００５５】
[0075]  フレームの第１の部分は、ＭＡＣヘッダ中のキーフィールドとして指定される。キーフィールドは、フレーム制御と、持続時間と、ブロードキャストアドレス（図示せず）とを含み得る。
【００５６】
[0076]  フレーム制御（ＦＣ）は、０１に設定された制御フィールドを有し、００００〜０１１０中の任意の数としてサブタイプフィールドを有する（使用されず）。ＦＣは、これがＵＬスケジュールド送信用のスケジューリング情報をもつ特殊なＡＣＫであることを示すために使用される。
【００５７】
[0077]  持続時間（ＮＡＶ）は、ＡＣＫフレーム持続時間と、ＵＬスケジュールド送信持続時間と、中間のギャップとからなる。
【００５８】
[0078]  （図１２に示されていない）ブロードキャストアドレスは、フレーム本体が、このブロードキャストアドレスによってアドレス指定されるサービスされるＵＬスケジュールド送信対応ＳＴＡによって読み取られる必要のみがあることを示すために使用される。
【００５９】
[0079]  図１２のフレームの第２の部分は、フレーム本体中のＡＣＫ／ＮＡＣＫフィールドとして指定される。これらのフィールドは、グループＡＣＫ／ＮＡＣＫがダイレクトされるＳＴＡの数を示す。これらのフィールドは、最後のＵＬスケジュールド送信におけるＳＴＡごとのアドレスおよびＡＣＫ／ＮＡＣＫビットを示すために使用される。
【００６０】
[0080]  図１２のフレームの第３の部分は、フレーム本体中のスケジューリング情報フィールドとして指定される。これらのフィールドは、次のスケジュールド送信中に送信するようにスケジュールされるＳＴＡの数を示す。
【００６１】
[0081]  スケジューリング情報フィールドは、選択されたＳＴＡアドレスを示すために使用され得る。選択されたＳＴＡは、最後のスケジュールド送信中で「より多くのデータ」を示すＳＴＡであり得る。どの選択されたＳＴＡも、ＵＬスケジュールド送信セッションの終了を暗示しない。セッションが終了した場合、ＳＴＡとＡＰは、ＣＳＭＡに基づいてチャネルについて競合し得る。
【００６２】
[0082]  スケジューリング情報フィールドは、スケジュールされたＳＴＡごとの送信持続時間を示すために使用され得る。さらに、スケジューリング情報フィールドは、場合によっては、スケジュールされたＳＴＡごとの送信開始時間を示すために使用され得る。
【００６３】
[0083]  ＳＴＡを時間領域中でスケジュールする代わりに（ＵＬ  ＴＤＳＴ）、それらは周波数領域中でスケジュールされ得（たとえば、アップリンク直交周波数分割多元接続（ＵＬ  ＯＦＤＭＡ））、より一般的には、周波数領域と時間領域の両方においてスケジュールされ得る（たとえば、アップリンク時間周波数スケジュールド送信（ＵＬ  ＴＦＳＴ））。それらの場合、スケジューリング情報フィールドは、スケジュールされたＳＴＡごとの割り振られた時間周波数リソースを示すために使用され得る。特に、スケジューリング情報フィールドは、各ＵＬ送信サイクル中の各スケジュールされたＳＴＡについての割り振られた周波数トーンおよび／または時間期間を示すために使用され得る。
【００６４】
[0084]  スケジューリング情報フィールドはまた、場合によっては、ＳＴＡごとのＭＣＳを指定するために使用され得る。ＭＣＳは、たとえば、（図１２に示されていない）受信されたデータパケットのＲＳＳＩ、または前の復号結果のうちの１つまたは複数に基づき得る。ＡＰがＭＣＳを指定しない場合、ＳＴＡは、たとえば、ＡＰのビーコンＲＳＳＩならびに前の復号結果に基づいてそれのＭＣＳを選定することができる。
【００６５】
[0085]  スケジューリング情報フィールドはまた、場合によっては、（図１２に示されていない）次のＵＬスケジュールド送信間隔におけるＳＴＡ送信順序を指定するために使用され得る。ＡＰがこの順序を指定しない場合、ＳＴＡは、たとえば、選択されたＳＴＡアドレス順序に基づいて順序を選定することができる。
【００６６】
[0086]  上記を念頭において、本明細書の教示に従って実行され得る動作の例について、図１３〜図１６を参照しながらより詳細に説明する。例示のために、これらの動作は、特定の装置によって実行されるものとして説明することがある。しかしながら、これらの動作は、異なる実装形態において異なるタイプの装置によって実行され得ることを諒解されたい。
【００６７】
[0087]  最初に図１３を参照すると、いくつかの態様において、このフローチャートは、肯定応答およびスケジューリング関連情報を備えるフレームを生成し送信することに関連して第１の装置によって実行され得る例示的な動作を記述している。いくつかの実装形態では、第１の装置は、アクセスポイントまたは何らかの他の好適なタイプのノード（たとえば、リレー）を具備すること（たとえば、それを含む、それとして実装される、それの中に実装されることなど）があり、一方、他の装置は、アクセス端末または何らかの他の好適なタイプのノードを備えることがある。
【００６８】
[0088]  ブロック１３０２が表すように、複数の装置との通信を確立する。たとえば、アクセスポイントは、複数のサービスされる装置とのＵＬ  ＭＵ−ＭＩＭＯ通信を確立し得る。別の例として、アクセスポイントは、複数のサービスされる装置とのＵＬ  ＯＦＤＭＡ通信を確立し得る。別の例として、アクセスポイントは、複数のサービスされる装置とのＵＬ  ＴＤＳＴ通信を確立し得る。さらに別の例として、アクセスポイントは、複数のサービスされる装置とのＵＬ  ＴＦＳＴ通信を確立し得る。いくつかの実装形態では、複数の装置は複数のアクセス端末（たとえば、ＳＴＡ）を備える。
【００６９】
[0089]  ブロック１３０４が表すように、データを受信する。たとえば、アクセスポイントは、それのサービスされるアクセス端末のうちの１つまたは複数からデータを受信し得る。
【００７０】
[0090]  ブロック１３０６が表すように、送信するための要求を受信する。たとえば、アクセスポイントは、それのサービスされるアクセス端末のうちの１つまたは複数から送信するための要求を受信し得る。
【００７１】
[0091]  ブロック１３０８が表すように、ＭＡＣフレームを生成する。ＭＡＣフレームは、ブロック１３０４において受信されたデータに関連する肯定応答情報と、ブロック１３０６において受信された送信するための要求に関連するスケジューリング情報とを備える。さらに、肯定応答情報は、肯定応答情報が生成される装置の量の表示を備える。
【００７２】
[0092]  この目的で、受信されたデータに応答して、データが正常に受信されたかどうかに関する決定が行われる。たとえば、所与の装置から受信されたデータに対して、データが正常に受信されたかどうかを決定するためにＣＲＣまたは何らかの他の好適な検査が実行され得る。データが正常に受信された場合、肯定応答情報中に、対応する装置についての肯定ＡＣＫ表示が含まれ得る。データが正常に受信されなかった場合、肯定応答情報中に、対応する装置についての否定ＡＣＫ（ＮＡＣＫ）表示が含まれ得る。
【００７３】
[0093]  さらに、受信された送信するための要求に応答して、ブロック１３０２において確立された通信に従ってデータ送信がスケジュールされる。たとえば、ブロック１３０２においてＭＵ−ＭＩＭＯ通信が確立された場合、送信するための要求に応答してＭＵ−ＭＩＭＯ送信がスケジュールされる。同様に、ブロック１３０２においてＯＦＤＭＡ通信が確立された場合、送信するための要求に応答してＯＦＤＭＡ送信がスケジュールされる。また、ブロック１３０２においてＴＤＳＴ通信が確立された場合、送信するための要求に応答してＴＤＳＴ送信がスケジュールされる。さらに、ブロック１３０２においてＴＦＳＴ通信が確立された場合、送信するための要求に応答してＴＦＳＴ送信がスケジュールされる。
【００７４】
[0094]  肯定応答情報は、様々な実装形態において様々な形態をとり得る。いくつかの態様では、肯定応答情報は、装置の各々について、装置からデータが正常に受信されたかどうかを示す。いくつかの態様では、肯定応答情報は、装置の各々について、装置のアドレスを示す。
【００７５】
[0095]  スケジューリング情報は、様々な実装形態において様々な形態をとり得る。いくつかの態様では、スケジューリング情報は、パイロット送信のために使用されるべき順序を示し得る。
【００７６】
[0096]  いくつかの態様では、スケジューリング情報は、データ送信のために使用されるべき順序を示し得る。
【００７７】
[0097]  いくつかの態様では、スケジューリング情報は、後続の送信するための要求の送信のために開始時間と持続時間とを示し得る。
【００７８】
[0098]  いくつかの態様では、スケジューリング情報は、少なくとも１つのスケジュールされたデータ送信のための開始時間と持続時間とを示し得る。
【００７９】
[0099]  いくつかの態様では、スケジューリング情報は、データを送信するようにスケジュールされた複数の装置を識別し得る。この場合、スケジューリング情報は、識別された装置の各々について、識別された装置のためのスケジュールされたデータ送信のための開始時間と持続時間とを示し得る。さらに、スケジューリング情報は、識別された装置の各々について、識別された装置のためのスケジュールされたデータ送信のための割り振られた時間周波数リソースを示し得る。また、スケジューリング情報は、識別された装置の各々について、識別された装置のためのスケジュールされたデータ送信の送信レートを示し得る。その上、スケジューリング情報は、識別された装置の各々について、識別された装置のためのスケジュールされたデータ送信のための変調およびコーディング方式を示し得る。
【００８０】
[00100]  ブロック１３１０が表すように、フレームを送信する。たとえば、アクセスポイントは、ＭＡＣフレームをブロードキャストし得る。
【００８１】
[00101]  図１４を参照すると、いくつかの態様において、このフローチャートは、肯定応答およびスケジューリング関連情報を備えるフレームを生成し送信することに関連して第１の装置によって実行され得る例示的な動作を記述している。いくつかの実装形態では、第１の装置は、アクセスポイントまたは何らかの他の好適なタイプのノード（たとえば、リレー）を具備すること（たとえば、それを含む、それとして実装される、それの中に実装されることなど）があり、一方、他の装置は、アクセス端末または何らかの他の好適なタイプのノードを備えることがある。
【００８２】
[00102]  ブロック１４０２が表すように、複数の装置との通信（たとえば、ＭＵ−ＭＩＭＯ通信、直交周波数分割多元接続（ＯＦＤＭＡ）通信、時間領域スケジュールド送信（ＴＤＳＴ）通信、または時間周波数スケジュールド送信（ＴＦＳＴ）通信）を確立する。たとえば、アクセスポイントは、複数のサービスされる装置とのＵＬ  ＭＵ−ＭＩＭＯ通信を確立し得る。別の例として、アクセスポイントは、複数のサービスされる装置とのＵＬ  ＯＦＤＭＡ通信を確立し得る。別の例として、アクセスポイントは、複数のサービスされる装置とのＵＬ  ＴＤＳＴ通信を確立し得る。さらに別の例として、アクセスポイントは、複数のサービスされる装置とのＵＬ  ＴＦＳＴ通信を確立し得る。いくつかの実装形態では、複数の装置は複数のアクセス端末を備える。
【００８３】
[00103]  ブロック１４０４が表すように、複数の装置の第１のセットから、送信するための少なくとも１つの要求を受信する。
【００８４】
[00104]  ブロック１４０６が表すように、複数の装置の第２のセットからデータが正常に受信されたかどうかに関する決定を行う。たとえば、アクセスポイントは、データを送信するように前にスケジュールされた第１のアクセス端末と第２のアクセス端末とからのデータについて監視し得る。
【００８５】
[00105]  第１のセットおよび第２のセットは、ある場合には１つまたは複数の同じ要素を備え、他の場合には異なる要素を備え得る。たとえば、ブロック１４０４において、アクセスポイントは、第１および第２のアクセス端末から、第２のアクセス端末および第３のアクセス端末から、これらのアクセス端末のうちの１つから、あるいは１つまたは複数の他のアクセス端末から要求を受信し得る。
【００８６】
[00106]  ブロック１４０８が表すように、スケジュールされたデータ送信のために第１のセットの少なくとも１つの装置を選択する。たとえば、アクセスポイントは、将来のデータサイクル中にデータを送信するように第３のアクセス端末をスケジュールし得る。
【００８７】
[00107]  ブロック１４１０が表すように、フレームを生成する。このフレームは、データが正常に受信されたかどうかの少なくとも１つの第１の表示を備え、また、選択された少なくとも１つの装置の少なくとも１つの第２の表示を備える。
【００８８】
[00108]  フレームは、他の表示を備える（たとえば、含む）ように生成され得る。いくつかの態様では、フレームは、後続の送信するための要求の送信のための開始時間および／または持続時間の少なくとも１つの表示を備え得る。いくつかの態様では、フレームは、（たとえば、選択された少なくとも１つの装置の各々について）スケジュールされたデータ送信のための開始時間および／または持続時間の少なくとも１つの表示を備え得る。いくつかの態様では、フレームは、スケジュールされたデータ送信のための少なくとも１つの送信レートの少なくとも１つの表示を備え得る。いくつかの態様では、フレームは、スケジュールされたデータ送信のための少なくとも１つの変調およびコーディング方式の少なくとも１つの表示を備え得る。いくつかの態様では、フレームは、（たとえば、ＵＬ  ＭＵ−ＭＩＭＯ通信の場合に）パイロット信号を送信するための順序の少なくとも１つの表示を備え得る。いくつかの態様では、フレームは、（たとえば、ＵＬ  ＯＦＤＭＡ通信の場合に）選択された少なくとも１つの装置の各々について割り振られた時間周波数リソースの少なくとも１つの表示を備え得る。
【００８９】
[00109]  いくつかの実装形態では、ブロック１４０８において選択される少なくとも１つの装置は、複数の選択された装置（たとえば、第２および第３のアクセス端末）を備える。この場合、フレームは、ブロック１４１０において、（たとえば、ＵＬ  ＴＤＳＴ通信の場合に）複数の選択された装置による送信のための送信順序の少なくとも１つの表示を備える（たとえば、含む）ように生成され得る。
【００９０】
[00110]  ブロック１４１２が表すように、ブロック１４１０において生成されたフレームを送信する。
【００９１】
[00111]  いくつかの実装形態では、上記の動作は複数のサイクルで実装される。たとえば、第１のデータ転送サイクル中に監視および受信が実行され得、（たとえば、第１のデータ転送サイクルの直後にくる）第２のデータ転送サイクル中にフレームの送信が実行され得、（少なくとも１つの装置がそれについて選択される）スケジュールされたデータ送信が、（たとえば、第２のデータ転送サイクルの直後にくる）第３のデータ転送サイクルの間に行われ得る。
【００９２】
[00112]  次に図１５を参照すると、いくつかの態様において、このフローチャートは、肯定応答およびスケジューリング関連情報を備えるフレームを受信し、このフレームを受信する結果としてアクションを取ることに関連して第１の装置によって実行され得る例示的な動作を記述している。いくつかの実装形態では、第１の装置は、アクセスポイントまたは何らかの他の好適なタイプのノードを具備すること（たとえば、それを含む、それとして実装される、それの中に実装されることなど）がある。
【００９３】
[00113]  ブロック１５０２が表すように、装置との通信（たとえば、ＭＵ−ＭＩＭＯ通信、直交周波数分割多元接続（ＯＦＤＭＡ）通信、時間領域スケジュールド送信（ＴＤＳＴ）通信、または時間周波数スケジュールド送信（ＴＦＳＴ）通信）を確立する。たとえば、アクセス端末は、サービングアクセスポイントとのＵＬ  ＭＵ−ＭＩＭＯ通信を確立し得る。別の例として、アクセス端末は、サービングアクセスポイントとのＵＬ  ＯＦＤＭＡ通信を確立し得る。別の例として、アクセス端末は、サービングアクセスポイントとのＵＬ  ＴＤＳＴ通信を確立し得る。さらに別の例として、アクセス端末は、サービングアクセスポイントとのＵＬ  ＴＦＳＴ通信を確立し得る。
【００９４】
[00114]  ブロック１５０４が表すように、データを送信する。たとえば、アクセス端末は、（たとえば、前のスケジューリング動作に応答して）それのサービングアクセスポイントにデータを送信し得る。
【００９５】
[00115]  ブロック１５０６が表すように、追加のデータを送信するための要求をも送信する。たとえば、アクセス端末は、サービングアクセスポイントへの送信のためにキューイングされた、より多くのデータを有し得る。
【００９６】
[00116]  ブロック１５０８が表すように、データと要求との送信に応答してフレームを受信する。このフレームは、送信されたデータが（たとえば、サービングアクセスポイントによって）正常に受信されたかどうかの第１の表示を備え、追加のデータを送信するための要求が（たとえば、サービングアクセスポイントによって）許可されたかどうかの第２の表示を備える。
【００９７】
[00117]  ブロック１５１０が表すように、第２の表示に基づいて、追加のデータを送信すべきかどうかに関する決定を行う。
【００９８】
[00118]  随意のブロック１５１２が表すように、フレームは、後続の送信するための要求の送信のための開始時間および／または持続時間の少なくとも１つの表示を備え得る。この場合、持続時間に基づく時間において、別の送信するための要求を送信し得る。
【００９９】
[00119]  随意のブロック１５１４が表すように、ブロック１５１０の決定の結果に応じて追加のデータを送信し得る。
【０１００】
[00120]  場合によっては、フレームは、追加のデータの送信のための開始時間および／または持続時間の少なくとも１つの表示をも備える。そのような場合、追加のデータは、開始時間および／または持続時間に従って（たとえば、開始時間および／または持続時間に基づく時間において）送信され得る。
【０１０１】
[00121]  場合によっては、フレームは、複数の装置（たとえば、複数のアクセス端末）による送信のための送信順序の少なくとも１つの表示をも備える。そのような場合、追加のデータは送信順序に従って送信され得る。そのような表示は、たとえば、ＵＬ  ＴＤＳＴ通信の場合に使用され得る。
【０１０２】
[00122]  場合によっては、フレームは、追加のデータの送信のための送信レートの少なくとも１つの表示をも備える。そのような場合、追加のデータは送信レートに従って送信され得る。
【０１０３】
[00123]  場合によっては、フレームは、追加のデータの送信のための変調およびコーディング方式の少なくとも１つの表示をも備える。そのような場合、追加のデータは変調およびコーディング方式に従って送信され得る。
【０１０４】
[00124]  場合によっては、フレームは、追加のデータの送信のための割り振られた時間周波数リソースの少なくとも１つの表示をも備える。そのような場合、追加のデータは、割り振られた時間周波数リソースに従って送信され得る。そのような表示は、たとえば、ＵＬ  ＯＦＤＭＡ通信の場合に使用され得る。
【０１０５】
[00125]  随意のブロック１５１６が表すように、フレームは、パイロット信号を送信するための順序の少なくとも１つの表示を備え得る。この場合、パイロット信号はこの順序に従って送信され得る。そのような表示は、たとえば、ＵＬ  ＭＵ−ＭＩＭＯ通信の場合に使用され得る。
【０１０６】
[00126]  いくつかの実装形態では、上記の動作は複数のサイクルで実装される。たとえば、第１のデータ転送サイクル中にデータと要求との送信が実行され得、（たとえば、第１のデータ転送サイクルの直後にくる）第２のデータ転送サイクル中にフレームが受信され得、追加のデータを送信するための要求が、（たとえば、第２のデータ転送サイクルの直後にくる）第３のデータ転送サイクル中に起こり得る潜在的データ送信の間に行われ得る。
【０１０７】
[00127]  本明細書の教示は、様々なワイヤレス技術を使用して実装され得る。ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近接デバイスを互いに相互接続するために使用され得る。本明細書で説明する様々な態様は、Ｗｉ−Ｆｉ（登録商標）、またはより一般的には、ワイヤレスプロトコルのＩＥＥＥ  ８０２．１１ファミリの任意のメンバなどの任意の通信規格に適用することができる。
【０１０８】
[0128]  いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１プロトコルに従って送信され得る。
【０１０９】
[0129]  本明細書で説明するデバイスのうちのいくつかは、さらに、多入力多出力（ＭＩＭＯ）技術を実装し、８０２．１１プロトコルの一部として実装され得る。ＭＩＭＯシステムは、データ送信用の複数（ＮT）個の送信アンテナと複数（ＮR）個の受信アンテナとを用いる。ＮT個の送信アンテナおよびＮR個の受信アンテナによって形成されるＭＩＭＯチャネルは、空間チャネルまたは空間ストリームとも呼ばれる、ＮS個の独立チャネルに分解され得、この場合、ＮS≦ｍｉｎ｛ＮT，ＮR｝である。ＮS個の独立チャネルの各々は１つの次元に対応する。複数の送信アンテナおよび受信アンテナによって作成された追加の次元数が利用された場合、ＭＩＭＯシステムは改善された性能（たとえば、より高いスループットおよび／またはより大きい信頼性）を与えることができる。
【０１１０】
[0130]  いくつかの実装形態では、ＷＬＡＮは、ワイヤレスネットワークにアクセスする様々なデバイスを含む。たとえば、２つのタイプのデバイス、すなわち、アクセスポイント（「ＡＰ」）および（ステーションまたは「ＳＴＡ」とも呼ばれる）クライアントが存在する場合がある。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉ−Ｆｉ（たとえば、ＩＥＥＥ  ８０２．１１プロトコル）準拠ワイヤレスリンクを介してＡＰに接続する。いくつかの実装形態では、ＳＴＡはＡＰとして使用される場合もある。
【０１１１】
[0131]  アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、送受信機機能（「ＴＦ」）、無線ルータ、無線送受信機、もしくは何らかの他の用語を備え、それらのいずれかとして実装され、またはそれらのいずれかとして知られ得る。
【０１１２】
[0132]  局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続機能を有するハンドヘルドデバイス、またはワイヤレスモデムに接続された何らかの他の適切な処理デバイスを備える場合がある。したがって、本明細書で教示される１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【０１１３】
[0133]  図１６は、本開示の態様が用いられ得るワイヤレス通信システム１６００の一例を示す。ワイヤレス通信システム１６００は、ワイヤレス規格、たとえば８０２．１１規格に従って動作することができる。ワイヤレス通信システム１６００は、ＳＴＡ１６０６ａ、１６０６ｂ、１６０６ｃ、１６０６ｄ、１６０６ｅ、および１６０６ｆ（総称してＳＴＡ１６０６）と通信するＡＰ１６０４を含み得る。
【０１１４】
[0134]  ＳＴＡ１６０６ｅおよび１６０６ｆは、ＡＰ１６０４と通信するのが困難な場合があるか、または範囲外にあり、ＡＰ１６０４と通信することができない場合がある。したがって、別のＳＴＡ１６０６ｄは、ＡＰ１６０４とＳＴＡ１６０６ｅおよび１６０６ｆとの間の通信を中継する中継デバイス（たとえば、ＳＴＡ機能とＡＰ機能とを備えたデバイス）として構成され得る。
【０１１５】
[0135]  様々なプロセスおよび方法は、ＡＰ１６０４とＳＴＡ１６０６との間のワイヤレス通信システム１６００における送信に使用される場合がある。たとえば、信号は、ＯＦＤＭ／ＯＦＤＭＡ技法に従って、ＡＰ１６０４とＳＴＡ１６０６との間で送受信される場合がある。この場合、ワイヤレス通信システム１６００は、ＯＦＤＭ／ＯＦＤＭＡシステムと呼ばれる場合がある。代替として、信号は、ＣＤＭＡ技法に従って、ＡＰ１６０４とＳＴＡ１６０６との間で送受信される場合がある。この場合、ワイヤレス通信システム１６００は、ＣＤＭＡシステムと呼ばれる場合がある。
【０１１６】
[0136]  ＡＰ１６０４からＳＴＡ１６０６のうちの１つまたは複数への送信を容易にする通信リンクはダウンリンク（ＤＬ）１６０８と呼ばれる場合があり、ＳＴＡ１６０６のうちの１つまたは複数からＡＰ１６０４への送信を容易にする通信リンクはアップリンク（ＵＬ）１６１０と呼ばれる場合がある。代替として、ダウンリンク１６０８は順方向リンクまたは順方向チャネルと呼ばれる場合があり、アップリンク１６１０は逆方向リンクまたは逆方向チャネルと呼ばれる場合がある。
【０１１７】
[0137]  ＡＰ１６０４は、基地局として働き、基本サービスエリア（ＢＳＡ）１６０２においてワイヤレス通信カバレージを提供することができる。ＡＰ１６０４は、ＡＰ１６０４に関連付けられる、また通信のためにＡＰ１６０４を使用するＳＴＡ１６０６とともに、基本サービスセット（ＢＳＳ）と呼ばれ得る。
【０１１８】
[0138]  したがって、アクセスポイントは、ネットワークのカバレッジエリア内に設置され得るか、またはそのカバレッジエリア全体にわたってローミングし得る１つもしくは複数のアクセス端末用の１つもしくは複数のサービス（たとえば、ネットワーク接続性）へのアクセスを提供するために通信ネットワーク内に展開され得る。たとえば、様々な時点で、アクセス端末は、ＡＰ１６０４、またはネットワーク内の何らかの他のアクセスポイント（図示せず）に接続し得る。
【０１１９】
[0139]  アクセスポイントの各々は、ワイドエリアネットワーク接続性を容易にするために、互いを含めて、（便宜上、図１６のネットワークエンティティ１６１２によって表される）１つまたは複数のネットワークエンティティと通信し得る。ネットワークエンティティは、たとえば、１つもしくは複数の無線機および／またはコアネットワークエンティティなど、様々な形態をとり得る。したがって、様々な実装形態では、ネットワークエンティティ１６１２は、（たとえば、認証、許可、および課金（ＡＡＡ）サーバを介した）ネットワーク管理、セッション管理、モビリティ管理、ゲートウェイ機能、インターワーキング機能、データベース機能、または何らかの他の好適なネットワーク機能のうちの少なくとも１つなどの機能を表し得る。そのようなネットワークエンティティのうちの２つ以上が共同設置され得、および／またはそのようなネットワークエンティティのうちの２つ以上がネットワーク全体にわたって分散され得る。
【０１２０】
[0140]  いくつかの実装形態では、ワイヤレス通信システム１６００は、中央のＡＰ１６０４を有しないこともあり、ＳＴＡ１６０６間のピアツーピアネットワークとして機能し得ることに留意されたい。したがって、本明細書で説明するＡＰ１６０４の機能は、代替的に、ＳＴＡ１６０６のうちの１つまたは複数によって実行され得る。また、上述のように、リレーはＡＰおよびＳＴＡの機能のうちの少なくともいくつかを組み込むことが可能である。
【０１２１】
[00141]  図１７は、ワイヤレス通信システム１６００内で用いられ得る装置１７０２（たとえば、ワイヤレスデバイス）において利用され得る様々な構成要素を示す。装置１７０２は、本明細書で説明する様々な方法を実装するように構成され得るデバイスの一例である。たとえば、装置１７０２は、ＡＰ１６０４、リレー１６０６ｄ、または図１６のＳＴＡ１６０６のうちの１つを備え得る。
【０１２２】
[00142]  装置１７０２は、装置１７０２の動作を制御する処理システム１７０４を含み得る。処理システム１７０４は、中央処理装置（ＣＰＵ）と呼ばれる場合もある。読取り専用メモリ（ＲＯＭ）とランダムアクセスメモリ（ＲＡＭ）の両方を含み得る（たとえば、メモリデバイスを含む）メモリ構成要素１７０６は、命令およびデータを処理システム１７０４に提供する。メモリ構成要素１７０６の一部は不揮発性ランダムアクセスメモリ（ＮＶＲＡＭ）も含み得る。処理システム１７０４は通常、メモリ構成要素１７０６内に記憶されたプログラム命令に基づいて、論理演算と算術演算とを実行する。メモリ構成要素１７０６内の命令は、本明細書で説明する方法を実装するように実行可能であり得る。
【０１２３】
[00143]  装置１７０２が送信ノードとして実装または使用されるとき、処理システム１７０４は、複数の媒体アクセス制御（ＭＡＣ）ヘッダタイプのうちの１つを選択し、そのＭＡＣヘッダタイプを有するパケットを生成するように構成され得る。たとえば、処理システム１７０４は、ＭＡＣヘッダとペイロードとを備えるパケットを生成し、何のタイプのＭＡＣヘッダを使用するかを決定するように構成され得る。
【０１２４】
[00144]  装置１７０２が受信ノードとして実装または使用されるとき、処理システム１７０４は、複数の異なるＭＡＣヘッダタイプのパケットを処理するように構成され得る。たとえば、処理システム１７０４は、パケット内で使用されるＭＡＣヘッダのタイプを決定し、パケットおよび／またはＭＡＣヘッダのフィールドを処理するように構成され得る。
【０１２５】
[00145]  処理システム１７０４は、１つもしくは複数のプロセッサとともに実装されるより大きな処理システムを備えるか、またはその構成要素であり得る。１つもしくは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算もしくは他の操作を実行することができる任意の他の適切なエンティティの任意の組合せで実装される場合がある。
【０１２６】
[00146]  処理システムは、ソフトウェアを記憶するための機械可読媒体も含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、またはコードの任意の他の適切な形式の）コードを含む場合がある。命令は、１つまたは複数のプロセッサによって実行されたとき、本明細書で説明する様々な機能を処理システムに実行させる。
【０１２７】
[00147]  装置１７０２はまた、装置１７０２と遠隔位置との間のデータの送信および受信を可能にするために送信機１７１０ならびに受信機１７１２を含み得る筐体１７０８を含み得る。送信機１７１０および受信機１７１２は、単一の通信デバイス（たとえば、送受信機１７１４）に組み合わされる場合がある。アンテナ１７１６は、筐体１７０８に取り付けられ、送受信機１７１４に電気的に結合される場合がある。装置１７０２は、複数の送信機、複数の受信機、複数の送受信機、および／または複数のアンテナも含み得る（図示せず）。送信機１７１０および受信機１７１２は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では他の方法で組み込まれ得る。
【０１２８】
[00148]  送信機１７１０は、異なるＭＡＣヘッダタイプを有するパケットをワイヤレス送信するように構成され得る。たとえば、送信機１７１０は、上記で論じた処理システム１７０４によって生成された異なるタイプのヘッダとともにパケットを送信するように構成され得る。
【０１２９】
[00149]  受信機１７１２は、異なるＭＡＣヘッダタイプを有するパケットをワイヤレス受信するように構成され得る。いくつかの態様では、受信機１７１２は、使用されたＭＡＣヘッダのタイプを検出し、それに応じてパケットを処理するように構成される。
【０１３０】
[00150]  受信機１７１２は、送受信機１７１４によって受信された信号のレベルを検出し、量子化するために使用され得る。受信機１７１２は、総エネルギー、シンボルごとのサブキャリア当たりのエネルギー、電力スペクトル密度、および他の信号などの信号を検出することができる。装置１７０２は、信号を処理する際に使用するためのデジタル信号プロセッサ（ＤＳＰ）１７２０も含み得る。ＤＳＰ１７２０は、送信用のデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【０１３１】
[00151]  装置１７０２は、いくつかの態様では、ユーザインターフェース１７２２をさらに備え得る。ユーザインターフェース１７２２は、キーパッド、マイクロフォン、スピーカ、および／またはディスプレイを備える場合がある。ユーザインターフェース１７２２は、装置１７０２のユーザに情報を伝達し、および／もしくはユーザからの入力を受信する、任意の要素または構成要素を含み得る。
【０１３２】
[00152]  装置１７０２の様々な構成要素は、バスシステム１７２６によって互いに結合され得る。バスシステム１７２６は、たとえば、データバスを含み得、ならびに、データバスに加えて、電力バス、制御信号バス、およびステータス信号バスを含み得る。装置１７０２の構成要素は、何らかの他の機構を使用して、互いに結合されるか、または互いに対する入力を受け付けるか、もしくは与え得ることを当業者は諒解されよう。
【０１３３】
[00153]  いくつかの別々の構成要素が図１７に示されているが、それらの構成要素のうちの１つもしくは複数は、組み合わされるか、または共通に実装されることがある。たとえば、処理システム１７０４は、処理システム１７０４に関して上で説明した機能を実装するためだけでなく、送受信機１７１４および／またはＤＳＰ１７２０に関して上で説明した機能を実装するためにも使用され得る。さらに、図１７に示した構成要素の各々は、複数の別個の要素を使用して実装される場合がある。さらに、処理システム１７０４は、以下で説明する構成要素、モジュール、回路などのいずれかを実装するために使用され得、または各々が複数の別個の要素を使用して実装され得る。
【０１３４】
[00154]  参照しやすいように、装置１７０２が送信ノードとして構成されるとき、以下でそれを装置１７０２ｔと呼ぶ。同様に、装置１７０２が受信ノードとして構成されるとき、以下でそれを装置１７０２ｒと呼ぶ。ワイヤレス通信システム１６００中のデバイスは、送信ノードの機能のみ、受信ノードの機能のみ、または送信ノードと受信ノードの両方の機能を実装し得る。
【０１３５】
[00155]  上で論じたように、装置１７０２は、ＡＰ１６０４またはＳＴＡ１６０６を備え得、複数のＭＡＣヘッダタイプを有する通信を送信および／または受信するために使用され得る。
【０１３６】
[00156]  図１７の構成要素は、様々な方法で実施され得る。いくつかの実装形態では、図１７の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、図１７のブロックによって表される機能の一部もしくは全部は、装置のプロセッサとメモリ構成要素とによって（たとえば、適切なコードの実行によっておよび／またはプロセッサ構成要素の適切な構成によって）実装され得る。これらの構成要素は、異なる実装形態では、異なるタイプの装置において（たとえば、ＡＳＩＣにおいて、システムオンチップ（ＳｏＣ）において、などで）実装され得ることを諒解されたい。
【０１３７】
[00157]  上で論じたように、装置１７０２は、ＡＰ１６０４もしくはＳＴＡ１６０６、リレー、または何らかの他のタイプの装置を備えることが可能であり、通信を送信および／または受信するために使用され得る。図１８に、ワイヤレス通信を送信するために装置１７０２ｔにおいて利用され得る様々な構成要素を示す。図１８に示す構成要素は、たとえば、ＯＦＤＭ通信を送信するために使用され得る。いくつかの態様では、図１８に示す構成要素は、１ＭＨｚ以下の帯域幅で送られるパケットを生成し、送信するために使用される。
【０１３８】
[00158]  図１８の装置１７０２ｔは、送信のためにビットを変調するように構成された変調器１８０２を備え得る。たとえば、変調器１８０２は、たとえばコンステレーションに従ってビットを複数のシンボルにマッピングすることによって、処理システム１７０４（図１７）またはユーザインターフェース１７２２（図１７）から受信されたビットから複数のシンボルを決定することができる。それらのビットは、ユーザデータまたは制御情報に対応し得る。いくつかの態様では、それらのビットはコードワードにおいて受信される。一態様では、変調器１８０２は、ＱＡＭ（直交振幅変調）変調器、たとえば、１６ＱＡＭ変調器または６４ＱＡＭ変調器を備える。他の態様では、変調器１８０２は、２位相シフトキーイング（ＢＰＳＫ）変調器または４位相シフトキーイング（ＱＰＳＫ）変調器を備える。
【０１３９】
[00159]  装置１７０２ｔは、変調器１８０２からのシンボル、またはさもなければ変調されたビットを時間領域に変換するように構成された変換モジュール１８０４をさらに備え得る。図１８では、変換モジュール１８０４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。いくつかの実装形態では、変換モジュール１８０４は、それ自体が、異なるサイズのデータのユニットを変換するように構成され得る。たとえば、変換モジュール１８０４は、複数のモードで構成され得、各モードでシンボルを変換するために異なる数の点を使用し得る。たとえば、ＩＦＦＴは、３２個のトーン（すなわち、サブキャリア）で送信されているシンボルを時間領域に変換するために３２点が使用されるモードと、６４個のトーンで送信されているシンボルを時間領域に変換するために６４点が使用されるモードとを有し得る。変換モジュール１８０４によって使用される点の数は、変換モジュール１８０４のサイズと呼ばれることがある。
【０１４０】
[00160]  図１８は、変調器１８０２および変換モジュール１８０４がＤＳＰ１８２０内で実装されるものとして示されている。しかしながら、いくつかの態様では、変調器１８０２と変換モジュール１８０４の一方または両方が処理システム１７０４内でまたは装置１７０２ｔの別の要素（たとえば、図１７に関する上記の説明を参照）内で実装される。
【０１４１】
[00161]  上記で論じたように、ＤＳＰ１８２０は、送信用のデータユニットを生成するように構成され得る。いくつかの態様では、変調器１８０２および変換モジュール１８０４は、制御情報を含む複数のフィールドと複数のデータシンボルとを備えるデータユニットを生成するように構成され得る。
【０１４２】
[00162]  図１８の説明に戻ると、装置１７０２ｔは、変換モジュールの出力をアナログ信号に変換するように構成されたデジタルアナログ変換器１８０６をさらに備え得る。たとえば、変換モジュール１８０６の時間領域出力は、デジタルアナログ変換器１８０６によってベースバンドＯＦＤＭ信号に変換され得る。デジタルアナログ変換器１８０６は、処理システム１７０４内でまたは図１７の装置１７０２の別の要素内で実装され得る。いくつかの態様では、デジタルアナログ変換器１８０６は、送受信機１７１４（図１７）内でまたはデータ送信プロセッサ内で実装される。
【０１４３】
[00163]  アナログ信号は、送信機１８１０によってワイヤレス送信され得る。アナログ信号は、送信機１８１０によって送信される前に、たとえばフィルタ処理されることによって、または中間周波数もしくは搬送周波数にアップコンバートされることによって、さらに処理され得る。図１８に示す態様では、送信機１８１０は送信増幅器１８０８を含む。送信される前に、アナログ信号は送信増幅器１８０８によって増幅され得る。いくつかの態様では、増幅器１８０８は低雑音増幅器（ＬＮＡ）を備える。
【０１４４】
[00164]  送信機１８１０は、アナログ信号に基づいてワイヤレス信号内で１つもしくは複数のパケットまたはデータユニットを送信するように構成される。それらのデータユニットは、処理システム１７０４（図１７）および／またはＤＳＰ１８２０を使用して、たとえば、上で論じたように変調器１８０２および変換モジュール１８０４を使用して生成され得る。上記で説明したように生成され、送信され得るデータユニットについて、以下でさらに詳細に説明する。
【０１４５】
[00165]  図１９は、ワイヤレス通信を受信するために図１７の装置１７０２において利用され得る様々な構成要素を示す。図１９に示す構成要素は、たとえば、ＯＦＤＭ通信を受信するために使用され得る。たとえば、図１９に示す構成要素は、図１８に関して上で説明した構成要素によって送信されたデータユニットを受信するために使用され得る。
【０１４６】
[00166]  装置１７０２ｒの受信機１９１２は、ワイヤレス信号内の１つもしくは複数のパケットまたはデータユニットを受信するように構成される。受信され、復号され、またはさもなければ処理され得るデータユニットについて、以下で説明する。
【０１４７】
[00167]  図１９に示す態様では、受信機１９１２は受信増幅器１９０１を含む。受信増幅器１９０１は、受信機１９１２によって受信されたワイヤレス信号を増幅するように構成され得る。いくつかの態様では、受信機１９１２は、自動利得制御（ＡＧＣ）手順を使用して、受信増幅器１９０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実行するための方法を理解されよう。いくつかの態様では、増幅器１９０１はＬＮＡを備える。
【０１４８】
[00168]  装置１７０２ｒは、受信機１９１２からの増幅されたワイヤレス信号をそのデジタル表現に変換するように構成されたアナログデジタル変換器１９１０を備え得る。増幅されることに加えて、ワイヤレス信号は、デジタルアナログ変換器１９１０によって変換される前に、たとえば、フィルタ処理されることによって、または中間周波数もしくはベースバンド周波数にダウンコンバートされることによって、処理され得る。アナログデジタル変換器１９１０は、処理システム１７０４（図１７）内でまたは装置１７０２ｒの別の要素内で実装され得る。いくつかの態様では、アナログデジタル変換器１９１０は、送受信機１７１４（図１７）内でまたはデータ受信プロセッサ内で実装される。
【０１４９】
[00169]  装置１７０２ｒは、ワイヤレス信号の表現を周波数スペクトルに変換するように構成された変換モジュール１９０４をさらに備え得る。図１９では、変換モジュール１９０４は、高速フーリエ変換（ＦＦＴ）モジュールによって実装されるものとして示されている。いくつかの態様では、変換モジュールは、それが使用する各点についてシンボルを識別することができる。図１８に関して上で説明したように、変換モジュール１９０４は、複数のモードで構成され得、各モードで信号を変換するために異なる数の点を使用し得る。変換モジュール１９０４によって使用される点の数は、変換モジュール１９０４のサイズと呼ばれることがある。いくつかの態様では、変換モジュール１９０４は、それが使用する各点についてシンボルを識別し得る。
【０１５０】
[00170]  装置１７０２ｒは、データユニットがそれを介して受信されるチャネルの推定値を形成することと、チャネル推定値に基づいてチャネルのいくつかの影響を除去することとを行うように構成されたチャネル推定器兼等化器１９０５をさらに備え得る。たとえば、チャネル推定器１９０５は、チャネルの関数を近似するように構成され得、チャネル等化器は、その関数の逆を周波数スペクトルにおけるデータに適用するように構成され得る。
【０１５１】
[00171]  装置１７０２ｒは、等化されたデータを復調するように構成された復調器１９０６をさらに備える場合がある。たとえば、復調器１９０６は、たとえばコンステレーションにおいてビットとシンボルとのマッピングを逆転させることによって、変換モジュール１９０４およびチャネル推定器兼等化器１９０５によって出力されたシンボルから複数のビットを決定することができる。それらのビットは、処理システム１７０４（図１７）によって処理または評価され得るか、あるいはユーザインターフェース１７２２（図１７）に情報を表示するかまたはさもなければ出力するために使用され得る。このようにして、データおよび／または情報が復号され得る。いくつかの態様では、それらのビットはコードワードに対応する。一態様では、復調器１９０６は、ＱＡＭ（直交振幅変調）復調器、たとえば１６ＱＡＭ復調器または６４ＱＡＭ復調器を備える。他の態様では、復調器１９０６は、２位相シフトキーイング（ＢＰＳＫ）復調器または４位相シフトキーイング（ＱＰＳＫ）復調器を備える。
【０１５２】
[00172]  図１９では、変換モジュール１９０４、チャネル推定器兼等化器１９０５、および復調器１９０６は、ＤＳＰ１９２０内で実装されるものとして示されている。しかしながら、いくつかの態様では、変換モジュール１９０４、チャネル推定器兼等化器１９０５、および復調器１９０６のうちの１つもしくは複数が処理システム１７０４（図１７）内でまたは装置１７０２（図１７）の別の要素内で実装される。
【０１５３】
[00173]  上で説明したように、受信機１７１２において受信されたワイヤレス信号は、１つまたは複数のデータユニットを備える。上で説明した機能または構成要素を使用して、データユニットもしくはその中のデータシンボルは、復号され評価されるか、またはさもなければ、評価もしくは処理され得る。たとえば、処理システム１７０４（図１７）および／またはＤＳＰ１９２０は、変換モジュール１９０４と、チャネル推定器兼等化器１９０５と、復調器１９０６とを使用して、データユニット内のデータシンボルを復号するために使用され得る。
【０１５４】
[00174]  ＡＰ１６０４およびＳＴＡ１６０６によって交換されるデータユニットは、上で説明したように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵはパケットまたは物理レイヤパケットと呼ばれる場合がある。各ＰＰＤＵはプリアンブルとペイロードとを備え得る。プリアンブルはトレーニングフィールドとＳＩＧフィールドとを含み得る。ペイロードは、たとえば、媒体アクセス制御（ＭＡＣ）ヘッダもしくは他のレイヤ用のデータ、および／またはユーザデータを備え得る。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【０１５５】
[00175]  図１８に示す装置１７０２ｔは、アンテナを介して送信される単一の送信チェーンの一例を示している。図１９に示す装置１７０２ｒは、アンテナを介して受信される単一の受信チェーンの一例を示している。いくつかの実装形態では、装置１７０２ｔまたは１７０２ｒは、データを同時に送信するために複数のアンテナを使用してＭＩＭＯシステムの一部分を実装し得る。
【０１５６】
[00176]  ワイヤレスネットワーク１６００は、衝突を回避しながら、予測不可能なデータ送信に基づいて、ワイヤレス媒体の効率的なアクセスを可能にするための方法を用いることができる。したがって、様々な態様によれば、ワイヤレスネットワーク１６００は、分散協調機能（ＤＣＦ）と呼ばれる場合があるキャリア検知多重アクセス／衝突回避（ＣＳＭＡ／ＣＡ）を実行する。より一般的には、送信用のデータを有する装置１７０２は、チャネルがすでに占有されているかどうかを決定するためにワイヤレス媒体を検知する。装置１７０２が、そのチャネルがアイドルであることを検知する場合、装置１７０２は準備されたデータを送信する。さもなければ、装置１７０２は、ワイヤレス媒体が送信を自由に行うことができるか否かを再度決定する前に、何らかの期間の間延期し得る。ＣＳＭＡを実行するための方法は、衝突を回避するために連続的な送信間に様々なギャップを用いることができる。一態様では、送信はフレームと呼ばれる場合があり、フレーム間のギャップはフレーム間スペース（ＩＦＳ）と呼ばれる。フレームは、ユーザデータ、制御フレーム、管理フレームなどのうちの任意の１つであり得る。
【０１５７】
[00177]  ＩＦＳ時間持続期間は、提供される時間ギャップのタイプに応じて異なり得る。ＩＦＳのいくつかの例としては、ショートフレーム間スペース（ＳＩＦＳ）、ポイントフレーム間スペース（ＰＩＦＳ）、およびＤＣＦフレーム間スペース（ＤＩＦＳ）があり、この場合、ＳＩＦＳは、ＤＩＦＳよりも短いＰＩＦＳよりも短い。より短い時間持続期間に続く送信は、チャネルにアクセスしようとする前により長く待機しなければならない送信よりも、より高い優先順位を有することになる。
【０１５８】
[00178]  ワイヤレス装置は、ワイヤレス装置によって送信されるまたはワイヤレス装置において受信される信号に基づいて機能を実行する様々な構成要素を含み得る。たとえば、いくつかの実装形態では、本明細書で教示するように、ワイヤレス装置は、受信された信号に基づいて表示を出力するように構成されたユーザインターフェースを備える。
【０１５９】
[00179]  本明細書で教示するワイヤレス装置は、適切なワイヤレス通信技術に基づくか、またはさもなければそれをサポートする、１つもしくは複数のワイヤレス通信リンクを介して通信し得る。たとえば、いくつかの態様では、ワイヤレス装置は、ローカルエリアネットワーク（たとえば、Ｗｉ−Ｆｉネットワーク）またはワイドエリアネットワークなど、ネットワークに関連し得る。この目的で、ワイヤレス装置は、たとえば、Ｗｉ−Ｆｉ、ＷｉＭＡＸ（登録商標）、ＣＤＭＡ、ＴＤＭＡ、ＯＦＤＭ、およびＯＦＤＭＡなど、様々なワイヤレス通信技術、プロトコル、または規格のうちの１つもしくは複数をサポートするか、またはさもなければ使用し得る。また、ワイヤレス装置は、様々な対応する変調方式または多重化方式のうちの１つもしくは複数をサポートするか、あるいはさもなければ使用し得る。したがって、ワイヤレス装置は、上記または他のワイヤレス通信技術を使用して１つもしくは複数のワイヤレス通信リンクを確立し、それを介して通信するための適切な構成要素（たとえば、エアインターフェース）を含み得る。たとえば、デバイスは、ワイヤレス媒体上での通信を容易にする様々な構成要素（たとえば、信号生成器および信号プロセッサ）を含み得る、関連付けられた送信機構成要素と受信機構成要素とをもつワイヤレス送受信機を備え得る。
【０１６０】
[00180]  本明細書の教示は、様々な装置（たとえば、ノード）に組み込まれ得る（たとえば、それらの装置内に実装されるか、またはそれらの装置によって実行され得る）。いくつかの態様では、本明細書の教示に従って実装される装置（たとえば、ワイヤレス装置）はアクセスポイント、リレー、またはアクセス端末を備え得る。
【０１６１】
[00181]  アクセス端末は、ユーザ機器、加入者局、加入者ユニット、移動局、モバイル、モバイルノード、遠隔局、遠隔端末、ユーザ端末、ユーザエージェント、ユーザデバイス、もしくは何らかの他の用語を備えるか、それらのいずれかとして実装されるか、またはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つもしくは複数の態様は、電話（たとえば、セルラーフォンもしくはスマートフォン）、コンピュータ（たとえば、ラップトップ）、ポータブル通信デバイス、ポータブルコンピューティングデバイス（たとえば、携帯情報端末）、エンターテインメントデバイス（たとえば、音楽デバイス、ビデオデバイス、もしくは衛星ラジオ）、全地球測位システムデバイス、またはワイヤレス媒体を介して通信するように構成された他の適切なデバイスに組み込まれ得る。
【０１６２】
[00182]  アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、送受信機機能（ＴＦ）、無線送受信機、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、もしくは何らかの他の同様の用語を備えることが可能であり、それらのいずれかとして実装されることが可能であり、またはそれらのいずれかとして知られている場合ある。
【０１６３】
[00183]  リレーは、リレーノード、リレーデバイス、リレー局、リレー装置、もしくは何らかの他の類似の用語を備えることが可能であり、それらとして実装されることが可能であり、またはそれらとして知られている場合がある。上で論じたように、いくつかの態様では、リレーは、何らかのアクセス端末機能および何らかのアクセスポイント機能を備え得る。
【０１６４】
[00184]  いくつかの態様では、ワイヤレス装置は、通信システムのためのアクセスデバイス（たとえば、アクセスポイント）を備える。そのようなアクセスデバイスは、たとえば、ワイヤードまたはワイヤレスの通信リンクを介した、別のネットワーク（たとえば、インターネットもしくはセルラーネットワークなど、ワイドエリアネットワーク）への接続性を与える。したがって、アクセスデバイスは、別のデバイス（たとえば、ワイヤレス局）が他のネットワークまたは何らかの他の機能にアクセスできるようにする。さらに、それらのデバイスのうちの一方もしくは両方はポータブルであるか、または場合によっては、比較的非ポータブルであり得ることを諒解されたい。また、ワイヤレス装置は、適切な通信インターフェースを介して非ワイヤレス方式で（たとえば、ワイヤード接続を介して）情報を送信および／または受信することも可能であり得ることを諒解されたい。
【０１６５】
[00185]  本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリービングなどのうちの１つまたは複数を指定することによって）、複数のユーザとの通信をサポートすることが可能な多元接続システムにおいて用いられ得る。たとえば、本明細書の教示は次の技術のいずれか１つまたはそれらの組合せに適用され得る。すなわち、符号分割多元接続（ＣＤＭＡ）システム、多重キャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術である。本明細書の教示を用いるワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、ユニバーサル地上波無線アクセス（ＵＴＲＡ：Universal Terrestrial Radio Access）、ｃｄｍａ２０００、または何らかの他の技術などの無線技術を実装し得る。ＵＴＲＡは、Ｗ−ＣＤＭＡと低チップレート（ＬＣＲ）とを含む。ｃｄｍａ２０００技術は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communication）などの無線技術を実装し得る。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。本明細書の教示は、３ＧＰＰロングタームエボリューション（ＬＴＥ）システム、ウルトラモバイルブロードバンド（ＵＭＢ：Ultra-Mobile Broadband）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは「第３世代パートナーシッププロジェクト」（３ＧＰＰ）と称する団体からの文書に記載されており、ｃｄｍａ２０００は、「第３世代パートナーシッププロジェクト２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１６６】
[00186]  図２０は、本明細書で教示する通信動作を実行するために（たとえば、それぞれ、アクセス端末、アクセスポイントまたはリレー、およびネットワークエンティティに対応する）装置２００２、装置２００４、ならびに装置２００６の中に組み込まれることが可能な（対応するブロックによって表される）いくつかの例示的な構成要素を示す。これらの構成要素は、異なる実装形態では、異なるタイプの装置において（たとえば、ＡＳＩＣにおいて、システムオンチップ（ＳｏＣ）において、などで）実装され得ることを諒解されたい。説明する構成要素はまた、通信システム内の他の装置に組み込まれ得る。たとえば、システム内の他の装置は、同様の機能を与えるために説明するものと同様の構成要素を含み得る。また、所与の装置は説明する構成要素のうちの１つまたは複数を含み得る。たとえば、装置は、装置が複数のキャリア上で動作し、および／または異なる技術によって通信することを可能にする、複数の送受信機構成要素を含み得る。
【０１６７】
[00187]  装置２００２および装置２００４は各々、少なくとも１つの指定された無線アクセス技術を介して他のノードと通信するための（通信デバイス２００８および２０１４（ならびに、装置２００４がリレーである場合、通信デバイス２０２０）によって表される）少なくとも１つのワイヤレス通信デバイスを含む。各通信デバイス２００８は、信号（たとえば、メッセージ、表示、情報など）を送信および符号化するための（送信機２０１０によって表される）少なくとも１つの送信機と、信号（たとえば、メッセージ、表示、情報、パイロットなど）を受信および復号するための（受信機２０１２によって表される）少なくとも１つの受信機とを含む。同様に、各通信デバイス２０１４は、信号（たとえば、メッセージ、表示、情報、パイロットなど）を送信するための（送信機２０１６によって表される）少なくとも１つの送信機と、信号（たとえば、メッセージ、表示、情報など）を受信するための（受信機２０１８によって表される）少なくとも１つの受信機とを含む。装置２００４がリレーである場合、各通信デバイス２０２０は、信号（たとえば、メッセージ、表示、情報、パイロットなど）を送信するための（送信機２０２２によって表される）少なくとも１つの送信機と、信号（たとえば、メッセージ、表示、情報など）を受信するための（受信機２０２４によって表される）少なくとも１つの受信機とを含む。
【０１６８】
[00188]  送信機および受信機は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では、他の方法で組み込まれ得る。いくつかの態様では、装置２００４のワイヤレス通信デバイス（たとえば、複数のワイヤレス通信デバイスのうちの１つ）はネットワークリッスンモジュールを備える。
【０１６９】
[00189]  装置２００６（および、それがアクセスポイントである場合、装置２００４）は、他のノードと通信するための（通信デバイス２０２６、および、オプションで、２０２０によって表される）少なくとも１つの通信デバイスを含む。たとえば、通信デバイス２０２６は、ワイヤベースまたはワイヤレスのバックホールを介して１つもしくは複数のネットワークエンティティと通信するように構成されるネットワークインターフェースを備え得る。いくつかの態様では、通信デバイス２０２６は、ワイヤベースまたはワイヤレスの信号通信をサポートするように構成された送受信機として実装され得る。この通信は、たとえば、メッセージ、パラメータ、または他のタイプの情報を送信および受信することに関与し得る。したがって、図２０の例では、通信デバイス２０２６は、送信機２０２８と受信機２０３０とを備えるものとして示されている。同様に、装置２００４がアクセスポイントである場合、通信デバイス２０２０は、ワイヤベースまたはワイヤレスのバックホールを介して１つもしくは複数のネットワークエンティティと通信するように構成されるネットワークインターフェースを備え得る。通信デバイス２０２６と同様に、通信デバイス２０２０は、送信機２０２２と受信機２０２４とを備えるものとして示されている。
【０１７０】
[00190]  装置２００２、２００４、および２００６は、本明細書で教示する通信動作と連携して使用され得る他の構成要素も含む。装置２００２は、たとえば、本明細書で教示するようにフレームを受信し、そのフレームに対してアクションを取ることに関する機能を提供するため、および他の処理機能を提供するための処理システム２０３２を含む。装置２００４は、たとえば、本明細書で教示するようにフレームを生成し送信することに関する機能を提供するため、および他の処理機能を提供するための処理システム２０３４を含む。装置２００６は、たとえば、本明細書で教示するように装置２００２と装置２００４との間の通信をサポートすることに関する機能を提供するため、および他の処理機能を提供するための処理システム２０３６を含む。装置２００２、２００４、および２００６は、それぞれ、情報（たとえば、しきい値、パラメータ、マッピング情報など）を維持するために（たとえば、各々がメモリデバイスを含む）メモリデバイス２０３８、２０４０、および２０４２を含む。さらに、装置２００２、２００４、および２００６は、表示（たとえば、可聴表示および／または視覚表示）をユーザに与えるため、および／または（たとえば、キーパッド、タッチスクリーン、マイクロフォンなどの検知デバイスをユーザが作動すると）ユーザ入力を受信するためのユーザインターフェースデバイス２０４４、２０４６および２０４８をそれぞれ含む。
【０１７１】
[00191]  便宜上、装置２００２は、図２０では、本明細書で説明する様々な例において使用され得る構成要素を含むものとして示されている。実際には、図示したブロックは、異なる態様では異なる機能を有し得る。たとえば、図３の実装形態をサポートするためのブロック２０３４の機能は、図１１の実装形態をサポートするためのブロック２０３４の機能と比較して異なり得る。
【０１７２】
[00192]  図２０の構成要素は、様々な方法で実装され得る。いくつかの実装形態では、図２０の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、ブロック２００８、２０３２、２０３８、および２０４４によって表される機能の一部または全部は、装置２００２のプロセッサとメモリ構成要素とによって（たとえば、適切なコードの実行によっておよび／またはプロセッサ構成要素の適切な構成によって）実装され得る。同様に、ブロック２０１４、２０２０、２０３４、２０４０、および２０４６によって表される機能の一部または全部は、装置２００４のプロセッサとメモリ構成要素とによって（たとえば、適切なコードの実行によっておよび／またはプロセッサ構成要素の適切な構成によって）実装され得る。また、ブロック２０２６、２０３６、２０４２、および２０４８によって表される機能の一部または全部は、装置２００６のプロセッサとメモリ構成要素とによって（たとえば、適切なコードの実行によっておよび／またはプロセッサ構成要素の適切な構成によって）実装され得る。
【０１７３】
[00193]  本明細書で説明する構成要素は、様々な様式で実装され得る。図２１、図２２、および図２３を参照すると、装置２１００、２２００、および２３００は、たとえば、１つもしくは複数の集積回路（たとえば、ＡＳＩＣ）によって実装されるか、または本明細書で教示する何らかの他の方法で実装される機能を表す、一連の相互に関係する機能ブロックとして表される。本明細書で論じるように、集積回路は、プロセッサ、ソフトウェア、他の構成要素、またはそれらの何らかの組合せを含み得る。
【０１７４】
[00194]  装置２１００は、様々な図に関して上記で説明した機能のうちの１つまたは複数を実行し得る１つまたは複数のモジュールを含む。たとえば、受信するためのＡＳＩＣ２１０２は、たとえば、本明細書で論じる受信機に対応し得る。フレームを生成するためのＡＳＩＣ２１０４は、たとえば、本明細書で論じる処理システムに対応し得る。フレームを送信するためのＡＳＩＣ２１０６は、たとえば、本明細書で論じる送信機に対応し得る。通信を確立するためのＡＳＩＣ２１０８は、たとえば、本明細書で論じる処理システムに対応し得る。データ送信をスケジュールするためのＡＳＩＣ２１１０は、たとえば、本明細書で論じる処理システムに対応し得る。
【０１７５】
[00195]  装置２２００は、様々な図に関して上記で説明した機能のうちの１つまたは複数を実行し得る１つまたは複数のモジュールを含む。たとえば、少なくとも１つの要求を受信するためのＡＳＩＣ２２０２は、たとえば、本明細書で論じる受信機に対応し得る。データが正常に受信されたかどうかを決定するためのＡＳＩＣ２２０４は、たとえば、本明細書で論じる処理システムに対応し得る。少なくとも１つの装置を選択するためのＡＳＩＣ２２０６は、たとえば、本明細書で論じる処理システムに対応し得る。フレームを生成するためのＡＳＩＣ２２０８は、たとえば、本明細書で論じる処理システムに対応し得る。フレームを送信するためのＡＳＩＣ２２１０は、たとえば、本明細書で論じる送信機に対応し得る。ＭＵ−ＭＩＭＯ（たとえば、ＵＬ  ＭＵ−ＭＩＭＯ）通信を確立するためのＡＳＩＣ２２１２は、たとえば、本明細書で論じる処理システムに対応し得る。ＯＦＤＭＡ（たとえば、ＵＬ  ＯＦＤＭＡ）通信を確立するためのＡＳＩＣ２２１４は、たとえば、本明細書で論じる処理システムに対応し得る。ＴＤＳＴ（たとえば、ＵＬ  ＴＤＳＴ）通信を確立するためのＡＳＩＣ２２１６は、たとえば、本明細書で論じる処理システムに対応し得る。ＴＦＳＴ（たとえば、ＵＬ  ＴＦＳＴ）通信を確立するためのＡＳＩＣ２２１８は、たとえば、本明細書で論じる処理システムに対応し得る。
【０１７６】
[00196]  装置２３００は、様々な図に関して上記で説明した機能のうちの１つまたは複数を実行し得る１つまたは複数のモジュールを含む。たとえば、データを送信するためのＡＳＩＣ２３０２は、たとえば、本明細書で論じる送信機に対応する。送信するための要求を送信するためのＡＳＩＣ２３０４は、たとえば、本明細書で論じる送信機に対応し得る。フレームを受信するためのＡＳＩＣ２３０６は、たとえば、本明細書で論じる受信機に対応し得る。送信すべきかどうかを決定するためのＡＳＩＣ２３０８は、たとえば、本明細書で論じる処理システムに対応し得る。別の要求を送信するためのＡＳＩＣ２３１０は、たとえば、本明細書で論じる送信機に対応し得る。追加のデータを送信するためのＡＳＩＣ２３１２は、たとえば、本明細書で論じる送信機に対応し得る。パイロット信号を送信するためのＡＳＩＣ２３１４は、たとえば、本明細書で論じる送信機に対応し得る。ＭＵ−ＭＩＭＯ（たとえば、ＵＬ  ＭＵ−ＭＩＭＯ）通信を確立するためのＡＳＩＣ２３１６は、たとえば、本明細書で論じる処理システムに対応し得る。ＯＦＤＭＡ（たとえば、ＵＬ  ＯＦＤＭＡ）通信を確立するためのＡＳＩＣ２３１８は、たとえば、本明細書で論じる処理システムに対応し得る。ＴＤＳＴ（たとえば、ＵＬ  ＴＤＳＴ）通信を確立するためのＡＳＩＣ２３２０は、たとえば、本明細書で論じる処理システムに対応し得る。ＴＦＳＴ（たとえば、ＵＬ  ＴＦＳＴ）通信を確立するためのＡＳＩＣ２３２２は、たとえば、本明細書で論じる処理システムに対応し得る。
【０１７７】
[00197]  上記のように、いくつかの態様では、これらのモジュールは、適切なプロセッサ構成要素により実装され得る。これらのプロセッサ構成要素は、いくつかの態様では、少なくとも部分的には本明細書で教示する構造を使用して実装され得る。いくつかの態様では、プロセッサは、これらのモジュールのうちの１つまたは複数の機能の一部または全部を実装するように構成され得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに与え得ることを諒解されたい。いくつかの態様では、点線ボックスによって表される任意の構成要素のうちの１つまたは複数は随意である。
【０１７８】
[00198]  上記のように、いくつかの実装形態では、装置２１００〜２３００は、１つまたは複数の集積回路を備える。たとえば、いくつかの態様では、単一の集積回路は、示した構成要素のうちの１つまたは複数の機能を実装するが、他の態様では、２つ以上の集積回路が、示した構成要素のうちの１つまたは複数の機能を実装する。１つの特定の例として、装置２２００は、（たとえば、構成要素２２０２〜２２１８があるＡＳＩＣの異なるセクションを備える）単一のデバイスを備え得る。別の特定の例として、装置２２００はいくつかのデバイスを備え得る（たとえば、構成要素２２０２および２２１０が１つのＡＳＩＣを備え、構成要素２２０４、２２０６、２２０８、２２１２、２２１４、２２１６および２２１８が別のＡＳＩＣを備える）。
【０１７９】
[00199]  さらに、図２１〜図２３によって表される構成要素ならびに機能と、本明細書で説明する他の構成要素ならびに機能とは任意の適切な手段を使用して実装され得る。そのような手段は、少なくとも部分的に、本明細書で教示する対応する構造を使用して実装される。たとえば、図２１〜図２３の構成要素「のためのＡＳＩＣ」に関連して上で説明した構成要素は、同様に指定された機能「のための手段」に対応する。したがって、いくつかの実装形態では、そのような手段のうちの１つまたは複数は、本明細書で教示するプロセッサ構成要素、集積回路、または他の適切な構造のうちの１つもしくは複数を使用して実装される。いくつかの例を以下に示す。
【０１８０】
[00200]  いくつかの実装形態では、送受信機などの通信デバイス構造は、受信するための手段の機能を具現化するように構成される。たとえば、この構造は、受信動作を起動するようにプログラムまたは設計され得る。さらに、この構造は、受信動作の結果として受信される何らかの信号を処理する（たとえば、復調および復号する）ようにプログラムまたは設計され得る。さらに、この構造は、処理の結果として受信された信号から抽出されたデータ（たとえば、データユニット、フレーム、要求、表示、もしくは他の情報）を出力するようにプログラムまたは設計され得る。典型的には、通信デバイス構造は、ワイヤレスベース送受信機デバイスまたはワイヤベース送受信機デバイスを備える。
【０１８１】
[00201]  いくつかの実装形態では、送受信機などの通信デバイス構造は、送信するための手段の機能を具現化するように構成される。たとえば、この構造は、送信されるデータ（たとえば、データユニット、フレーム、要求、パイロット、表示、もしくは他の情報）を取得するようにプログラムまたは設計され得る。さらに、この構造は、取得されたデータを処理する（たとえば、変調および符号化する）ようにプログラムまたは設計され得る。さらに、この構造は、処理されたデータを送信のための１つもしくは複数のアンテナに結合するようにプログラムまたは設計され得る。典型的には、通信デバイス構造は、ワイヤレスベース送受信機デバイスまたはワイヤベース送受信機デバイスを備える。
【０１８２】
[00202]  いくつかの実装形態では、ＡＳＩＣまたはプログラマブルプロセッサなどの処理システム構造は、通信を確立するための手段の機能を具現化するように構成される。たとえば、この構造は、通信されるべきデータ（たとえば、データユニット、フレーム、表示、もしくは他の情報）を取得するようにプログラムまたは設計され得る。さらに、この構造は、取得されたデータを処理するようにプログラムまたは設計され得る。さらに、この構造は、データを出力するようにプログラムまたは設計され得る。データを受信するために補演算が実行され得る。
【０１８３】
[00203]  いくつかの実装形態では、ＡＳＩＣまたはプログラマブルプロセッサなどの処理システム構造は、送信すべきかどうかを決定するための手段の機能を具現化するように構成される。この構造は、入力パラメータを受信するようにプログラムまたは設計され得る。この構造は、１つまたは複数の送信動作を制御するために、受信された動作パラメータを処理するようにプログラムまたは設計され得る。この構造は、次いで、処理の結果を示す表示を（たとえば、送信機に）出力するようにプログラムまたは設計され得る。
【０１８４】
[00204]  いくつかの実装形態では、ＡＳＩＣまたはプログラマブルプロセッサなどの処理システム構造は、データが正常に受信されたかどうかを決定するための手段の機能を具現化するように構成される。この構造は、（たとえば、受信機またはメモリデバイスから）データを受信するようにプログラムまたは設計され得る。この構造は、（たとえば、ＣＲＣ演算を実行することによって）データに関連するエラーがあるかどうかを決定するために、受信されたデータを処理するようにプログラムまたは設計され得る。この構造は、次いで、処理の結果を示す表示（たとえば、合格または不合格の表示）を出力するようにプログラムまたは設計され得る。
【０１８５】
[00205]  いくつかの実装形態では、ＡＳＩＣまたはプログラマブルプロセッサなどの処理システム構造は、少なくとも１つの装置を選択するための手段の機能を具現化するように構成される。この構造は、１つまたは複数の入力パラメータを受信するようにプログラムまたは設計され得る。この構造は、定義された選択基準と受信された入力パラメータとに基づいて選択演算を実行するようにプログラムまたは設計され得る。この構造は、次いで、選択の結果を示す表示を出力するようにプログラムまたは設計され得る。
【０１８６】
[00206]  いくつかの実装形態では、ＡＳＩＣまたはプログラマブルプロセッサなどの処理システム構造は、フレームを生成するための手段の機能を具現化するように構成される。この構造は、フレーム中に含まれるべき情報を受信するようにプログラムまたは設計され得る。この構造は、受信された情報を指定フレームフォーマットで提供するためにこの情報を処理するようにプログラムまたは設計され得る。この構造は、次いで、処理の結果を示す表示（たとえば、フォーマットされたフレーム）を出力するようにプログラムまたは設計され得る。
【０１８７】
[00207]  いくつかの態様では、装置または装置の構成要素は、本明細書で教示する機能を与えるように構成され得る（またはそのように動作可能であるかまたは適応され得る）。これは、たとえば、その機能を与えるように装置もしくは構成要素を製造する（たとえば、作製する）ことによって、その機能を与えるように装置もしくは構成要素をプログラムすることによって、またはいくつかの他の適切な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０１８８】
[00208]  また、本明細書における「第１」、「第２」などの名称を使用した要素への言及は、それらの要素の数量または順序を概括的に限定するものでないことを理解されたい。むしろ、これらの名称は、概して、本明細書において２つ以上の要素またはある要素の複数の例を区別する便利な方法として使用される。したがって、第１の要素および第２の要素への言及は、そこで２つの要素のみが用いられ得ること、または第１の要素が何らかの方法で第２の要素に先行しなければならないことを意味するものではない。また、別段に記載されていない限り、要素のセットは１つまたは複数の要素を備える。さらに、明細書または特許請求の範囲において使用される「Ａ、Ｂ、またはＣのうちの少なくとも１つ」あるいは「Ａ、Ｂ、またはＣのうちの１つもしくは複数」あるいは「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０１８９】
[00209]  本明細書で使用する「決定する」という用語は、多種多様な活動を包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１９０】
[00210]  情報および信号は、様々な異なる技術および技法のいずれを使用しても表され得ることを当業者は理解されよう。たとえば、上記の説明全体にわたって言及されるデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１９１】
[00211]  さらに、本明細書で開示した態様に関して説明した様々な例示的な論理ブロック、モジュール、プロセッサ、手段、回路、およびアルゴリズムステップのいずれも、電子ハードウェア（たとえば、ソースコーディングもしくは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」もしくは「ソフトウェアモジュール」と呼ぶことがある）、あるいはその両方の組合せとして実装され得ることを当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実現されるか、ソフトウェアとして実現されるかは、特定の適用例および全体的なシステムに課された設計制約によって決まる。当業者は、説明した機能を特定の適用例ごとに様々な方法で実装し得るが、そのような実装の決定は、本開示の範囲からの逸脱を生じるものと解釈すべきではない。
【０１９２】
[00212]  本明細書で開示した態様に関して説明した様々な例示的な論理ブロック、モジュール、および回路は、処理システム、集積回路（「ＩＣ」）、アクセス端末、またはアクセスポイントの中で実装され得るか、またはそれらによって実行され得る。処理システムは、１つもしくは複数のＩＣを使用して実装され得、または、（たとえば、チップ上のシステムの一部として）ＩＣ内に実装され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電子的構成要素、光学的構成要素、機械的構成要素、または本明細書で説明した機能を実行するように設計されたそれらの任意の組合せを備え得、ＩＣの内部に、ＩＣの外側に、またはその両方に存在するコードまたは命令を実行し得る。汎用プロセッサはマイクロプロセッサとすることができるが、代替形態として、プロセッサは、任意の従来のプロセッサ、コントローラ、マイクロコントローラ、または状態機械とすることができる。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０１９３】
[00213]  開示したプロセス内のステップの特定の順序または階層は、例示的な手法の一例であることを理解されたい。設計の選好に基づいて、プロセス内のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１９４】
[00214]  本明細書で開示した態様に関して説明した方法またはアルゴリズムのステップは、直接ハードウェアで具現化され得るか、プロセッサによって実行されるソフトウェアモジュールで具現化され得るか、またはその２つの組合せで具現化され得る。（たとえば、実行可能な命令および関係するデータを含む）ソフトウェアモジュールならびに他のデータは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態のコンピュータ可読記憶媒体など、メモリ内に存在し得る。例示的な記憶媒体は、プロセッサが記憶媒体から情報（たとえば、コード）を読み取り、記憶媒体に情報を書き込むことができるように、たとえば、コンピュータ／プロセッサ（便宜上、本明細書では「プロセッサ」と呼ぶことがある）などの機械に結合され得る。例示的な記憶媒体はプロセッサに一体化され得る。プロセッサおよび記憶媒体はＡＳＩＣ内に存在し得る。ＡＳＩＣはユーザ機器内に存在し得る。代替として、プロセッサおよび記憶媒体はユーザ機器内の個別構成要素として存在し得る。さらに、いくつかの態様では、任意の適切なコンピュータプログラム製品は、本開示の態様のうちの１つまたは複数に関係する機能を与えるために実行可能な（たとえば、少なくとも１つのコンピュータによって実行可能な）コードを備えるコンピュータ可読媒体を備え得る。いくつかの態様では、コンピュータプログラム製品はパッケージ材料を備え得る。
【０１９５】
[00215]  １つまたは複数の態様では、説明した機能は、ハードウェア、ソフトウェア、ファームウェア、またはそれらの任意の組合せで実装され得る。ソフトウェアで実装される場合、機能は、１つもしくは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。コンピュータ可読媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、あるいは命令もしくはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、もしくは赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体、コンピュータ可読記憶媒体、コンピュータ可読記憶デバイスなど）を備え得る。そのような非一時的コンピュータ可読媒体（たとえば、コンピュータ可読記憶デバイス）は、本明細書で説明した、またはさもなければ知られている媒体（たとえば、メモリデバイス、媒体ディスクなど）の有形形態のいずれかを備え得る。さらに、いくつかの態様では、コンピュータ可読媒体は（たとえば、信号を備える）一時的コンピュータ可読媒体を備え得る。上記の組合せもコンピュータ可読媒体の範囲内に含まれるべきである。コンピュータ可読媒体は、任意の適切なコンピュータプログラム製品内に実装され得ることを諒解されたい。本明細書では特定の態様が記載されるが、これらの態様の多くの変形形態および置換は本開示の範囲内に入る。
【０１９６】
[00216]  好ましい態様のいくつかの利益および利点が言及されたが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および説明において示す。
【０１９７】
[00217]  開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
データと、送信するための要求とを受信するように構成された受信機と、
前記受信されたデータに関連する肯定応答情報と、前記受信された送信するための要求に関連するスケジューリング情報とを備える媒体アクセス制御（ＭＡＣ）フレームを生成するように構成された処理システムと、ここにおいて、前記肯定応答情報は、前記肯定応答情報が生成される装置の量の表示を備える、
前記フレームを送信するように構成された送信機とを備える、ワイヤレス通信のための装置。
［Ｃ２］
前記肯定応答情報は、前記装置の各々について、前記装置からデータが正常に受信されたかどうかを示す、Ｃ１に記載の装置。
［Ｃ３］
前記スケジューリング情報が、パイロット送信のために使用されるべき順序を示す、Ｃ１に記載の装置。
［Ｃ４］
前記スケジューリング情報が、データ送信のために使用されるべき順序を示す、Ｃ１に記載の装置。
［Ｃ５］
前記スケジューリング情報が、後続の送信するための要求の送信のための開始時間と持続時間とを示す、Ｃ１に記載の装置。
［Ｃ６］
前記スケジューリング情報が、少なくとも１つのスケジュールされたデータ送信のための開始時間と持続時間とを示す、Ｃ１に記載の装置。
［Ｃ７］
前記スケジューリング情報が、データを送信するようにスケジュールされた複数の装置を識別し、
前記スケジューリング情報が、前記識別された装置の各々について、前記識別された装置のための前記スケジュールされたデータ送信のための開始時間と持続時間とを示す、Ｃ１に記載の装置。
［Ｃ８］
前記スケジューリング情報が、データを送信するためにスケジュールされた複数の装置を識別し、
前記スケジューリング情報が、前記識別された装置の各々について、前記識別された装置のためにスケジュールされたデータ送信のための割り振られた時間周波数リソースを示す、Ｃ１に記載の装置。
［Ｃ９］
前記スケジューリング情報が、データを送信するためにスケジュールされた複数の装置を識別し、
前記スケジューリング情報が、前記識別された装置の各々について、前記識別された装置のためのスケジュールされたデータ送信に関する送信レートを示す、Ｃ１に記載の装置。
［Ｃ１０］
前記スケジューリング情報が、データを送信するためにスケジュールされた複数の装置を識別し、
前記スケジューリング情報が、前記識別された装置の各々について、前記識別された装置のためにスケジュールされたデータ送信のための変調およびコーディング方式を示す、Ｃ１に記載の装置。
［Ｃ１１］
前記処理システムが、
前記装置とのマルチユーザ多入力多出力（ＭＵ−ＭＩＭＯ）通信を確立することと、
前記確立されたＭＵ−ＭＩＭＯ通信に従ってデータ送信をスケジュールすることとを行うようにさらに構成された、Ｃ１に記載の装置。
［Ｃ１２］
前記処理システムが、
前記装置との直交周波数分割多元接続（ＯＦＤＭＡ）通信を確立することと、
前記確立されたＯＦＤＭＡ通信に従ってデータ送信をスケジュールすることとを行うようにさらに構成された、Ｃ１に記載の装置。
［Ｃ１３］
前記処理システムが、
前記複数の装置との時間領域スケジュールド送信（ＴＤＳＴ）通信を確立することと、
前記確立されたＴＤＳＴ通信に従ってデータ送信をスケジュールすることとを行うようにさらに構成された、Ｃ１に記載の装置。
［Ｃ１４］
前記処理システムが、
前記複数の装置との時間周波数スケジュールド送信（ＴＦＳＴ）通信を確立することと、
前記確立されたＴＦＳＴ通信に従ってデータ送信をスケジュールすることとを行うようにさらに構成された、Ｃ１に記載の装置。
［Ｃ１５］
データと、送信するための要求とを受信することと、
前記受信されたデータに関連する肯定応答情報と、前記受信された送信するための要求に関連するスケジューリング情報とを備える媒体アクセス制御（ＭＡＣ）フレームを生成することと、ここにおいて、前記肯定応答情報は、前記肯定応答情報が生成される装置の量の表示を備える、
前記フレームを送信することとを備える、ワイヤレス通信の方法。
［Ｃ１６］
前記肯定応答情報は、前記装置の各々について、前記装置からデータが正常に受信されたかどうかを示す、Ｃ１５に記載の方法。
［Ｃ１７］
前記スケジューリング情報が、パイロット送信のために使用されるべき順序を示す、Ｃ１５に記載の方法。
［Ｃ１８］
前記スケジューリング情報が、データ送信のために使用されるべき順序を示す、Ｃ１５に記載の方法。
［Ｃ１９］
前記スケジューリング情報が、後続の送信するための要求の送信のための開始時間と持続時間とを示す、Ｃ１５に記載の方法。
［Ｃ２０］
前記スケジューリング情報が、少なくとも１つのスケジュールされたデータ送信のための開始時間と持続時間とを示す、Ｃ１５に記載の方法。
［Ｃ２１］
前記スケジューリング情報が、データを送信するようにスケジュールされた複数の装置を識別し、
前記スケジューリング情報が、前記識別された装置の各々について、前記識別された装置のための前記スケジュールされたデータ送信のための開始時間と持続時間とを示す、Ｃ１５に記載の方法。
［Ｃ２２］
前記スケジューリング情報が、データを送信するためにスケジュールされた複数の装置を識別し、
前記スケジューリング情報が、前記識別された装置の各々について、前記識別された装置のためにスケジュールされたデータ送信のための割り振られた時間周波数リソースを示す、Ｃ１５に記載の方法。
［Ｃ２３］
前記スケジューリング情報が、データを送信するためにスケジュールされた複数の装置を識別し、
前記スケジューリング情報が、前記識別された装置の各々について、前記識別された装置のためのスケジュールされたデータ送信に関する送信レートを示す、Ｃ１５に記載の方法。
［Ｃ２４］
前記スケジューリング情報が、データを送信するためにスケジュールされた複数の装置を識別し、
前記スケジューリング情報が、前記識別された装置の各々について、前記識別された装置のためのスケジュールされたデータ送信のための変調およびコーディング方式を示す、Ｃ１５に記載の方法。
［Ｃ２５］
前記装置とのマルチユーザ多入力多出力（ＭＵ−ＭＩＭＯ）通信を確立することと、
前記確立されたＭＵ−ＭＩＭＯ通信に従ってデータ送信をスケジュールすることとをさらに備える、Ｃ１５に記載の方法。
［Ｃ２６］
前記装置との直交周波数分割多元接続（ＯＦＤＭＡ）通信を確立することと、
前記確立されたＯＦＤＭＡ通信に従ってデータ送信をスケジュールすることとをさらに備える、Ｃ１５に記載の方法。
［Ｃ２７］
前記複数の装置との時間領域スケジュールド送信（ＴＤＳＴ）通信を確立することと、
前記確立されたＴＤＳＴ通信に従ってデータ送信をスケジュールすることとをさらに備える、Ｃ１５に記載の方法。
［Ｃ２８］
前記複数の装置との時間周波数スケジュールド送信（ＴＦＳＴ）通信を確立することと、
前記確立されたＴＦＳＴ通信に従ってデータ送信をスケジュールすることとをさらに備える、Ｃ１５に記載の方法。
［Ｃ２９］
アンテナと、
データと、送信するための要求とを受信するように構成された受信機と、
前記受信されたデータに関連する肯定応答情報と、前記受信された送信するための要求に関連するスケジューリング情報とを備える媒体アクセス制御（ＭＡＣ）フレームを生成するように構成された処理システムと、ここにおいて、前記肯定応答情報は、前記肯定応答情報が生成される装置の量の表示を備える、
前記アンテナを介して前記フレームを送信するように構成された送信機とを備える、アクセスポイント。
［Ｃ３０］
データと、送信するための要求とを受信することと、
前記受信されたデータに関連する肯定応答情報と、前記受信された送信するための要求に関連するスケジューリング情報とを備える媒体アクセス制御（ＭＡＣ）フレームを生成することと、ここにおいて、前記肯定応答情報は、前記肯定応答情報が生成される装置の量の表示を備える、
前記フレームを送信することと
を行うように実行可能なコードを備えるコンピュータ可読媒体を備える、コンピュータプログラム製品。
【図１】
0006479767.tif 000002
【図２】
0006479767.tif 000003
【図３】
0006479767.tif 000004
【図４】
0006479767.tif 000005
【図５】
0006479767.tif 000006
【図６】
0006479767.tif 000007
【図７】
0006479767.tif 000008
【図８】
0006479767.tif 000009
【図９】
0006479767.tif 000010
【図１０】
0006479767.tif 000011
【図１１】
0006479767.tif 000012
【図１２】
0006479767.tif 000013
【図１３】
0006479767.tif 000014
【図１４】
0006479767.tif 000015
【図１５】
0006479767.tif 000016
【図１６】
0006479767.tif 000017
【図１７】
0006479767.tif 000018
【図１８】
0006479767.tif 000019
【図１９】
0006479767.tif 000020
【図２０】
0006479767.tif 000021
【図２１】
0006479767.tif 000022
【図２２】
0006479767.tif 000023
【図２３】
0006479767.tif 000024